(57)【要約】【課題】音声モード情報を付加してコンテンツを符号化できるコンテンツ記録装置および音声モード情報に基づいてコンテンツを再生できる再生装置を提供する。【解決手段】中央制御部１１および画像入出力部２は、放送局２０から取得した、少なくとも音声データを含み経時的に変化するコンテンツを、時系列的に並ぶ複数のパックＰｋに分割し、各パックＰｋにおける音声データの種類を表す音声モード情報および音声データにおいて優先して再生して出力すべき音声チャンネルを表す優先出力音声情報を、各パックＰｋに少なくとも１つ付加してコンテンツを符号化して、記録部４に記録する。記録部４に記録されたコンテンツを再生するとき、中央制御部１１および画像入出力部２は、コンテンツに付加されている音声モード情報および優先出力音声情報に基づく音声チャンネルを再生して出力する。【選択図】      図１
2004248056.tif 000002
【特許請求の範囲】
【請求項１】
少なくとも音声データを含み経時的に変化するコンテンツを記録するコンテンツ記録装置であって、
コンテンツを時系列的に並ぶ複数のデータ群に分割し、各データ群における音声データの種類を表す音声モード情報を、各データ群に少なくとも１つ付加してコンテンツを符号化する符号化手段と、
コンテンツを記録する記録手段とを備えることを特徴とするコンテンツ記録装置。
【請求項２】
符号化手段は、音声モード情報に対応して、音声データにおいて予め定められる優先して再生すべき音声チャンネルを表す優先情報をさらに付加してコンテンツを符号化することを特徴とする請求項１記載のコンテンツ記録装置。
【請求項３】
優先情報を、利用者が入力操作する記録入力手段をさらに備えることを特徴とする請求項２記載のコンテンツ記録装置。
【請求項４】
コンテンツを提供する提供元からコンテンツを取得するとともに、取得するコンテンツに関連するコンテンツ関連情報を取得する取得手段と、取得したコンテンツ関連情報および音声モード情報に基づいて、優先情報を生成する優先情報生成手段をさらに備えることを特徴とする請求項２記載のコンテンツ記録装置。
【請求項５】
コンテンツ関連情報に対応して優先情報を生成するために用いられる優先判定情報を、利用者が入力操作する判定情報入力手段をさらに備え、優先情報生成手段は、コンテンツ関連情報および音声モード情報ならびに優先判定情報に基づいて、優先情報を生成することを特徴とする請求項４記載のコンテンツ記録装置。
【請求項６】
記録手段に記録されているコンテンツを、異なる記録形式に変換する変換手段をさらに備え、
前記変換手段は、コンテンツにおける音楽データの音声チャンネルの数を減らして変換するときに、優先情報に基づく音声チャンネルを含んで変換することを特徴とする請求項２〜５のいずれかに記載のコンテンツ記録装置。
【請求項７】
少なくとも音声データを含み経時的に変化するコンテンツを再生するコンテンツ再生装置であって、
時系列的に並ぶ複数のデータ群に分割され、各データ群における音声データの種類を表す音声モード情報が、各データ群に少なくとも１つ付加されて符号化されているコンテンツの音声モード情報を抽出する抽出手段と、
抽出された音声モード情報に基づいて、コンテンツを再生する再生手段とを備えることを特徴とするコンテンツ再生装置。
【請求項８】
コンテンツは、音声モード情報に対応して、音声データにおいて予め定められる優先して再生すべき音声チャンネルを表す優先情報がさらに付加されて符号化され、
抽出手段は、コンテンツから優先情報を抽出し、
再生手段は、音声モード情報および抽出された優先情報に基づいて、コンテンツを再生することを特徴とする請求項７記載のコンテンツ再生装置。
【請求項９】
音声データにおいて予め定められる優先して再生すべき音声チャンネルを表す優先情報を、利用者が入力操作する再生入力手段をさらに備え、再生手段は、音声モード情報および入力された優先情報に基づいて、コンテンツを再生することを特徴とする請求項７記載のコンテンツ再生装置。
【請求項１０】
音声データにおいて再生する音声チャンネルを指定する音声チャンネル指定情報を、利用者が入力操作する指令入力手段をさらに備え、
再生手段は、音声モード情報および入力された音声チャンネル指定情報に基づいてコンテンツを再生することを特徴とする請求項７記載のコンテンツ再生装置。
【請求項１１】
一時的に音声チャンネル指定情報を記憶する一時記憶手段をさらに備え、
再生手段は、音声モード情報および音声チャンネル指定情報に基づいてコンテンツを再生しているときに、コンテンツの音声モード情報が変化して、さらに変化する前の音声モード情報に復帰したときに、音声モード情報および一時記憶手段に記憶されている音声チャンネル指定情報に基づいてコンテンツを再生することを特徴とする請求項１０記載のコンテンツ再生装置。
【請求項１２】
少なくとも音声データを含み経時的に変化するコンテンツを記録する処理をコンピュータに実行させるためのコンテンツ記録プログラムであって、
コンテンツを時系列的に並ぶ複数のデータ群に分割し、各データ群における音声データの種類を表す音声モード情報を、各データ群に少なくとも１つ付加してコンテンツを符号化する符号化工程と、
コンテンツを記録手段に記録する記録工程とを含むことを特徴とするコンテンツ記録プログラム。
【請求項１３】
少なくとも音声データを含み経時的に変化するコンテンツを再生する処理をコンピュータに実行させるためのコンテンツ再生プログラムであって、
時系列的に並ぶ複数のデータ群に分割され、各データ群における音声データの種類を表す音声モード情報が、各データ群に少なくとも１つ付加されて符号化されているコンテンツの音声モード情報を抽出する抽出工程と、
抽出された音声モード情報に基づいて、コンテンツを再生する再生工程とを備えることを特徴とするコンテンツ再生プログラム。
【発明の詳細な説明】
【０００１】
【発明の属する技術分野】
本発明は、少なくとも音声データを含み経時的に変化するコンテンツを記録するコンテンツ記録装置および前記コンテンツを再生するコンテンツ再生装置、ならびにコンピュータに前記コンテンツを記録する処理を実行させるためのコンテンツ記録プログラムおよび前記コンテンツを再生する処理を実行させるためのコンテンツ再生プログラムに関する。
【０００２】
【従来の技術】
第１の従来技術として、受信したテレビジョン電波に含まれるコンテンツを、アナログ方式で磁気テープに記録するときに、アナログテレビジョン放送電波の垂直帰線消去期間（Ｖｅｒｔｉｃａｌ  Ｂｌａｎｋｉｎｇ  Ｉｎｔｅｒｖａｌ；略称：ＶＢＩ）に含まれる、コンテンツの音声がモノラル、ステレオおよび２ヶ国語のいずれであるかを示す判別信号を記録し、前記判別信号に基づいて音声データの種類を判別する判別方式がある（たとえば特許文献１参照）。
【０００３】
第２の従来技術として、コンテンツにおける音声データの音声モード情報が変化する点を検出し、コンテンツを記録媒体に記録するときに、音声モードの変化点を表す情報を記録媒体の所定位置に記録する記録装置がある（たとえば特許文献２参照）。
【０００４】
第３の従来技術として、映像データおよび音声データで構成されるコンテンツを記録する領域と、前記コンテンツを管理する管理情報を記録する領域とを備える光ディスクならびにその記録装置がある（たとえば特許文献３〜５参照）。
【０００５】
【特許文献１】
特開昭６２−６５８６号公報
【特許文献２】
特開２０００−４１２４５号公報
【特許文献３】
特開２０００−３４８４４２号公報
【特許文献４】
特開２００１−１４５０５３号公報
【特許文献５】
特開２００１−１３５０６７号公報
【０００６】
【発明が解決しようとする課題】
書換可能な記録容量の大きなハードディスクドライブなどの磁気記録媒体およびデジタル多機能ディスク（略称：ＤＶＤ）などの光記録媒体の普及にともなって、テレビジョン番組などの映像および音声を含む経時的に変化するコンテンツを、これらの記録媒体に記録する記録装置の需要が高まってきている。このような記録媒体はランダムアクセスが可能であり、第１の従来技術のようなアナログ方式の磁気テープのようなリニアな記録媒体に比べて、再生時における記録したコンテンツの検索、および記録したコンテンツの編集が極めて容易である。
【０００７】
第２の従来技術では、コンテンツであるテレビジョン番組における、たとえばドラマ本編とコマーシャルフィルムとの変化点を検出するという目的のために、コンテンツにおける音声データの音声モードの変化点の記録位置を表す情報を、コンテンツとは別に記録媒体の所定の位置に記録している。このようにコンテンツの記録と、音声モードの変化点の検出と、変化点の記録位置を表す情報の記録とを同時に行うので、ソフトウェアで処理を行う場合、このような処理に対する負荷が非常に高くなり、たとえば映像のコマ落ちおよび音声の音飛びなどが発生する危険性が高い。また、一方でこのような処理をするためのハードウェアを用いた場合は、回路構成が非常に複雑になり、記録装置の製造コストの上昇を招く。
【０００８】
また第３の従来技術では、コンテンツとは別に、前記コンテンツを管理する管理情報を光記録媒体に記録するので、前述の第２の従来技術と同様の問題がある。
【０００９】
さらに第２および第３の従来技術によって記録されたコンテンツを再生するときには、コンテンツだけでなく、コンテンツとは別に記録される音声モードに関する情報がないと、正確に音声モードを判断することができない。特に、コンテンツを記録した記録装置とは異なる再生装置で、前記記録装置によって記録されたコンテンツを再生するときには、コンテンツとともに、音声モードに関する情報を再生装置に与える必要がある。さらに再生装置がコンピュータネットワークを介して接続される記録装置に記録されるコンテンツを再生する場合、再生装置は記録装置に対してコンテンツの提供を要求するときには、音声モードに関する情報の提供も要求する必要がある。これによって再生装置から記録装置へのアクセスが複雑となるだけでなく、コンピュータネットワークのトラフィックの増加を招く危険性もある。
【００１０】
したがって本発明の目的は、音声モード情報を付加してコンテンツを符号化できるコンテンツ記録装置および音声モード情報に基づいてコンテンツを再生できる再生装置、ならびに前記コンテンツ記録装置およびコンテンツ再生装置をコンピュータで実現できるコンテンツ記録プログラムおよびコンテンツ再生プログラムを提供することである。
【００１１】
【課題を解決するための手段】
本発明は、少なくとも音声データを含み経時的に変化するコンテンツを記録するコンテンツ記録装置であって、
コンテンツを時系列的に並ぶ複数のデータ群に分割し、各データ群における音声データの種類を表す音声モード情報を、各データ群に少なくとも１つ付加してコンテンツを符号化する符号化手段と、
コンテンツを記録する記録手段とを備えることを特徴とするコンテンツ記録装置である。
【００１２】
本発明に従えば、少なくとも音声データを含み経時的に変化するコンテンツは、符号化手段によって、時系列的に並ぶ複数のデータ群に分割され、各データ群における音声データの種類、たとえばモノラル音声、ステレオ音声および二重音声などを表す音声モード情報が、各データ群に少なくとも１つ付加されて符号化されて、記録手段に記録される。このように音声モード情報がコンテンツに付加されて記録されるので、従来技術のように音声モード情報がコンテンツとは別にして記録される場合に比べて、コンテンツを再生するときに、コンテンツ以外の情報を参照することなく、容易に再生を行うことができる。また、たとえばコンピュータネットワークを介して、コンテンツを他の端末装置に伝送するときに、コンテンツだけを伝送するだけでよく、従来技術に比べて取扱いが容易となる。さらに、たとえば記録手段に記録されているコンテンツをその途中から再生したいときでも、各データ群に音声モード情報が付加されているので、音声モード情報を確実に確認することができる。またコンテンツにおいて音声モード情報が変化する場合でも、音声モード情報を確実に確認することができる。
【００１３】
また本発明は、符号化手段は、音声モード情報に対応して、音声データにおいて予め定められる優先して再生すべき音声チャンネルを表す優先情報をさらに付加してコンテンツを符号化することを特徴とする。
【００１４】
本発明に従えば、コンテンツは、符号化手段によって、音声モード情報に対応して、音声データにおいて予め定められる優先して再生すべき音声チャンネル、たとえば二重音声の場合には主音声チャンネルまたは副音声チャンネルなどを表す優先情報がさらに付加されて符号化される。これによってコンテンツを再生するときに、コンテンツの音声データの音声チャンネルのうち、いずれの音声チャンネルを再生するかを予め設定することなく、優先情報に基づく音声チャンネルで音声データを確実に再生することができる。このように優先情報に基づき音声チャンネルを再生するので、たとえば音声モード情報が二重音声のコンテンツを再生するときに、全ての音声チャンネルを同時に再生してしまうなどの、誤再生を防止することができる。
【００１５】
また本発明は、優先情報を、利用者が入力操作する記録入力手段をさらに備えることを特徴とする。
【００１６】
本発明に従えば、利用者が記録入力手段を入力操作して優先情報が入力される。これによって優先情報には利用者の意思が反映されるので、コンテンツを再生するときには、利用者の所望する音声チャンネルの音声データを再生することができる。
【００１７】
また本発明は、コンテンツを提供する提供元からコンテンツを取得するとともに、取得するコンテンツに関連するコンテンツ関連情報を取得する取得手段と、取得したコンテンツ関連情報および音声モード情報に基づいて、優先情報を生成する優先情報生成手段をさらに備えることを特徴とする。
【００１８】
本発明に従えば、提供元から提供されるコンテンツおよび取得するコンテンツに関連するコンテンツ関連情報は、取得手段によって取得される。また優先情報生成手段によって、取得したコンテンツ関連情報および音声モード情報に基づく優先情報が生成される。これによって、取得するコンテンツのコンテンツ関連情報が、たとえば二重音声である映画番組である場合、記録手段に記録されるコンテンツには、二重音声であることを表す音声モード情報が付加される。このとき優先情報生成手段は、このようなコンテンツ関連情報および音声モード情報に基づいて、たとえば副音声を再生すべき音声チャンネルとする優先情報を生成してもよい。また取得するコンテンツのコンテンツ関連情報が、たとえば二重音声であって、副音声チャンネルが英語である映画番組である場合、優先情報生成手段は、このようなコンテンツ関連情報および音声モード情報に基づいて、たとえば副音声を再生すべき音声チャンネルとする優先情報を生成してもよい。このようにコンテンツを記録する度に利用者が優先情報を入力することなく、優先情報を自動的に生成することができる。
【００１９】
また本発明は、コンテンツ関連情報に対応して優先情報を生成するために用いられる優先判定情報を、利用者が入力操作する判定情報入力手段をさらに備え、優先情報生成手段は、コンテンツ関連情報および音声モード情報ならびに優先判定情報に基づいて、優先情報を生成することを特徴とする。
【００２０】
本発明に従えば、利用者が判定情報入力手段を入力操作して、コンテンツ関連情報に対応して優先情報を生成するために用いられる優先判定情報が入力される。また優先情報生成手段によって、コンテンツ関連情報および音声モード情報ならびに優先判定情報に基づく優先情報が生成される。これによって、取得するコンテンツのコンテンツ関連情報が、たとえば二重音声である映画番組である場合、記録手段に記録されるコンテンツには、二重音声であることを表す音声モード情報が付加される。また利用者は判定情報入力手段を入力操作して、前記コンテンツ関連情報に対応して、たとえば二重音声の映画番組は副音声チャンネルとすることを表す優先判定情報を予め入力しておく。このとき優先情報生成手段は、このようなコンテンツ関連情報および音声モード情報ならびに優先判定情報に基づいて、たとえば副音声チャンネルを再生すべき音声チャンネルとする優先情報を生成してもよい。このように利用者の意思が反映される優先情報を、自動的に生成することができる。
【００２１】
また本発明は、記録手段に記録されているコンテンツを、異なる記録形式に変換する変換手段をさらに備え、
前記変換手段は、コンテンツにおける音楽データの音声チャンネルの数を減らして変換するときに、優先情報に基づく音声チャンネルを含んで変換することを特徴とする。
【００２２】
本発明に従えば、変換手段によって、記録手段に記録されているコンテンツが、異なる記録形式に変換される。またコンテンツにおける音楽データの音声チャンネルの数を減らして変換されるときには、優先情報に基づく音声チャンネルを含んで変換される。たとえば記録手段に記録されているコンテンツの記録容量を小さくするような記録形式に変換するとき、さらに記憶容量を小さくするために、音声データの音声チャンネルを減らすことがある。このような場合、たとえば音声モード情報が二重音声の場合、主音声チャンネルおよび副音声チャンネルの２つの音声チャンネルうち、優先情報によっていずれか１つを選んでおけば、前記優先情報が表す音声チャンネルを残して、コンテンツを変換することができる。このようにコンテンツの記録形式の変換時に残しておく音声チャンネルを、変換の度に選ぶことがないので、変換作業を迅速に行うことができる。また利用者の意図が反映されている優先情報であれば、利用者が所望しない音声チャンネルを自動的に削除して、コンテンツの変換を行うことができる。
【００２３】
また本発明は、少なくとも音声データを含み経時的に変化するコンテンツを再生するコンテンツ再生装置であって、
時系列的に並ぶ複数のデータ群に分割され、各データ群における音声データの種類を表す音声モード情報が、各データ群に少なくとも１つ付加されて符号化されているコンテンツの音声モード情報を抽出する抽出手段と、
抽出された音声モード情報に基づいて、コンテンツを再生する再生手段とを備えることを特徴とするコンテンツ再生装置である。
【００２４】
本発明に従えば、少なくとも音声データを含み経時的に変化するコンテンツは、時系列的に並ぶ複数のデータ群に分割され、各データ群における音声データの種類、たとえばモノラル、ステレオおよび二重音声などを表す音声モード情報が、各データ群に少なくとも１つ付加されて符号化されている。抽出手段によって、このようなコンテンツの各データ群の音声モード情報が抽出される。またコンテンツは、再生手段によって、抽出された音声モード情報に基づいて再生される。このように音声モード情報がコンテンツに付加されて記録されるので、従来技術のように音声モード情報がコンテンツとは別にして記録される場合に比べて、コンテンツ以外の情報を参照することなく、コンテンツを容易に再生することができる。また、たとえばコンピュータネットワークを介して、他の端末装置に記録されているコンテンツを再生するときに、コンテンツ以外の情報を取得することなく、コンテンツだけを取得するだけでよく、従来技術に比べて取扱いが容易となる。さらに、たとえばコンテンツを途中から再生したいときでも、各データ群に音声モード情報が付加されているので、音声モード情報を確実に確認することができる。またコンテンツにおいて音声モード情報が変化する場合でも、音声モード情報を確実に確認することができる。
【００２５】
また本発明は、コンテンツは、音声モード情報に対応して、音声データにおいて予め定められる優先して再生すべき音声チャンネルを表す優先情報がさらに付加されて符号化され、
抽出手段は、コンテンツから優先情報を抽出し、
再生手段は、音声モード情報および抽出された優先情報に基づいて、コンテンツを再生することを特徴とする。
【００２６】
本発明に従えば、コンテンツは、音声モード情報に対応して、音声データにおいて予め定められる優先して再生すべき音声チャンネルを表す優先情報がさらに付加されて符号化される。優先情報は、抽出手段によって、コンテンツから抽出される。コンテンツは、再生手段によって、音声モード情報および優先情報に基づいて再生される。これによって、コンテンツの音声データの音声チャンネルのうち、いずれのチャンネルを再生するかを再生装置側で予め設定することなく、優先情報に基づく音声チャンネルを確実に再生することができる。このように優先情報に基づき音声チャンネルを再生するので、たとえば音声モード情報が二重音声のコンテンツを再生するときに、全ての音声チャンネルを同時に再生してしまうなどの、誤再生を防止することができる。
【００２７】
また本発明は、音声データにおいて予め定められる優先して再生すべき音声チャンネルを表す優先情報を、利用者が入力操作する再生入力手段をさらに備え、再生手段は、音声モード情報および入力された優先情報に基づいて、コンテンツを再生することを特徴とする。
【００２８】
本発明に従えば、利用者が再生入力手段を入力操作すると、音声データにおいて予め定められる優先して再生すべき音声チャンネルを表す優先情報が入力される。再生手段は、音声モード情報および入力された優先情報に基づいて、コンテンツを再生する。これによって優先情報には利用者の意思が反映されるので、コンテンツを再生するときには、利用者の所望する音声チャンネルの音声データを再生することができる。
【００２９】
また本発明は、音声データにおいて再生する音声チャンネルを指定する音声チャンネル指定情報を、利用者が入力操作する指令入力手段をさらに備え、
再生手段は、音声モード情報および入力された音声チャンネル指定情報に基づいてコンテンツを再生することを特徴とする。
【００３０】
本発明に従えば、利用者が指令入力手段を入力操作すると、音声データにおいて再生する音声チャンネルを指定する音声チャンネル指定情報が入力される。再生手段は、音声モード情報および入力された音声チャンネル指定情報に基づいて、コンテンツを再生する。これによって音声チャンネル指定情報には利用者の意思が反映されるので、たとえばコンテンツの再生中に、音声データの音声チャンネルを切換えたいときに、利用者は指令入力手段を入力操作するだけで、所望の音声チャンネルを容易に再生させることができる。
【００３１】
また本発明は、一時的に音声チャンネル指定情報を記憶する一時記憶手段をさらに備え、
再生手段は、音声モード情報および音声チャンネル指定情報に基づいてコンテンツを再生しているときに、コンテンツの音声モード情報が変化して、さらに変化する前の音声モード情報に復帰したときに、音声モード情報および一時記憶手段に記憶されている音声チャンネル指定情報に基づいてコンテンツを再生することを特徴とする。
【００３２】
本発明に従えば、一時記憶手段に、入力された音声チャンネル指定情報が一時的に記憶される。再生手段は、音声モード情報および音声チャンネル指定情報に基づいてコンテンツを再生しているときに、コンテンツの音声モード情報が変化して、さらに変化する前の音声モード情報に復帰したときに、音声モード情報および一時記憶手段に記憶されている音声チャンネル指定情報に基づいてコンテンツを再生する。これによって再生しているコンテンツの音声モード情報が変化して、さらに変化する前の音声モード情報に復帰する度に、利用者は指令入力手段を入力操作して音声チャンネル指定情報を入力することなく、引き続き、一時記憶手段に記憶されている音声チャンネル指定情報に基づく音声チャンネルでコンテンツを再生することができる。
【００３３】
また本発明は、少なくとも音声データを含み経時的に変化するコンテンツを記録する処理をコンピュータに実行させるためのコンテンツ記録プログラムであって、
コンテンツを時系列的に並ぶ複数のデータ群に分割し、各データ群における音声データの種類を表す音声モード情報を、各データ群に少なくとも１つ付加してコンテンツを符号化する符号化工程と、
コンテンツを記録手段に記録する記録工程とを含むことを特徴とするコンテンツ記録プログラムである。
【００３４】
本発明に従えば、少なくとも音声データを含み経時的に変化するコンテンツは、符号化工程において、時系列的に並ぶ複数のデータ群に分割され、各データ群における音声データの種類、たとえばモノラル音声、ステレオ音声および二重音声などを表す音声モード情報が、各データ群に少なくとも１つ付加されて符号化されて、記録工程において記録手段に記録される。このように音声モード情報がコンテンツに付加されて記録されるので、従来技術のように音声モード情報がコンテンツとは別にして記録される場合に比べて、コンテンツを再生するときに、コンテンツ以外の情報を参照することなく、容易に再生を行うことができる。また、たとえばコンピュータネットワークを介して、コンテンツを他の端末装置に伝送するときに、コンテンツだけを伝送するだけでよく、従来技術に比べて取扱いが容易となる。さらに、たとえば記録手段に記録されているコンテンツをその途中から再生したいときでも、各データ群に音声モード情報が付加されているので、音声モード情報を確実に確認することができる。またコンテンツにおいて音声モード情報が変化する場合でも、音声モード情報を確実に確認することができる。
【００３５】
また本発明は、少なくとも音声データを含み経時的に変化するコンテンツを再生する処理をコンピュータに実行させるためのコンテンツ再生プログラムであって、
時系列的に並ぶ複数のデータ群に分割され、各データ群における音声データの種類を表す音声モード情報が、各データ群に少なくとも１つ付加されて符号化されているコンテンツの音声モード情報を抽出する抽出工程と、
抽出された音声モード情報に基づいて、コンテンツを再生する再生工程とを備えることを特徴とするコンテンツ再生プログラムである。
【００３６】
本発明に従えば、少なくとも音声データを含み経時的に変化するコンテンツは、時系列的に並ぶ複数のデータ群に分割され、各データ群における音声データの種類、たとえばモノラル、ステレオおよび二重音声などを表す音声モード情報が、各データ群に少なくとも１つ付加されて符号化されている。抽出工程において、このようなコンテンツの各データ群の音声モード情報が抽出される。またコンテンツは、再生工程において、抽出された音声モード情報に基づいて再生される。このように音声モード情報がコンテンツに付加されて記録されるので、従来技術のように音声モード情報がコンテンツとは別にして記録される場合に比べて、コンテンツ以外の情報を参照することなく、コンテンツを容易に再生することができる。また、たとえばコンピュータネットワークを介して、他の端末装置に記録されているコンテンツを再生するときに、コンテンツ以外の情報を取得することなく、コンテンツだけを取得するだけでよく、従来技術に比べて取扱いが容易となる。さらに、たとえばコンテンツを途中から再生したいときでも、各データ群に音声モード情報が付加されているので、音声モード情報を確実に確認することができる。またコンテンツにおいて音声モード情報が変化する場合でも、音声モード情報を確実に確認することができる。
【００３７】
【発明の実施の形態】
図１は、本発明の実施の一形態の画像記録再生装置１の構成を示すブロック図である。画像記録再生装置１は、たとえば映像データおよび音声データを含む経時的に変化するコンテンツを、予め設定される提供時間枠に区切られる提供予定に従って提供する複数の放送局２０からのコンテンツを取得し、取得したコンテンツを、画像記録再生装置１に接続される表示装置２１に映像を表示させるとともに音声を出力させる。また画像記録再生装置１は、取得したコンテンツを記録し、記録されたコンテンツを再生して表示装置２１に表示させるとともに音声を出力させる。画像記録再生装置１は、画像入出力部２、オンスクリーンディスプレイ生成部３、記録部４、プログラムメモリ５、データメモリ６、指示入力部７、計時部８、通信部９、メモリカード接続部１０および中央制御部１１を含んで構成される。
【００３８】
画像入出力部２は、アナログテレビチューナ２ａ、ＡＤコンバータ２ｂ、ＭＰＥＧ２エンコーダ２ｃ、ＭＰＥＧ２デコーダ２ｄおよびＤＡコンバータ２ｅを備える。画像入出力部２には、放送局２０からのアナログテレビジョン放送電波を受信するためのアンテナ２ｆが接続される。また画像入出力部２には、たとえばテレビジョン受像装置などで実現される表示装置２１および図示しないアナログ方式のビデオテープレコーダ（Ｖｉｄｅｏ  Ｔａｐｅ  Ｒｅｃｏｒｄｅｒ  ；略称：ＶＴＲ）などに接続可能なアナログ画像出力端子およびアナログ音声出力端子ならびにアナログ画像入力端子およびアナログ音声入力端子が備えられる。以後これらの入力端子および出力端子をまとめて、アナログ入出力端子と表記することがある。
【００３９】
各放送局２０からのコンテンツは、各放送局２０に割り振られたチャンネルに対応する搬送波周波数のアナログテレビジョン放送電波によって提供され、アナログテレビチューナ２ａは、選局される放送局２０からのアナログテレビジョン放送電波、換言すれば選択されるチャンネルに対応する搬送波周波数のアナログテレビジョン放送電波を、アンテナ２ｆを介して受信して増幅する。さらにアナログテレビチューナ２ａは、受信したアナログテレビジョン放送電波に含まれ、コンテンツを表すアナログコンテンツ信号を抽出する検波を行う。前記アナログテレビチューナ２ａによって検波されたアナログコンテンツ信号は、ＡＤコンバータ２ａおよびアナログ入出力端子に接続される表示装置２１およびＶＴＲに与えられてもよい。コンテンツは、アナログテレビチューナ２ａによって、アナログデータとして取得される。
【００４０】
ＡＤコンバータ２ｂは、アナログコンテンツ信号をデジタルコンテンツ信号に変換するアナログ・デジタル（Ａｎａｌｏｇ  ｔｏ  Ｄｉｇｉｔａｌ  ；略称：ＡＤ）変換を行う。前記アナログコンテンツ信号は、アナログテレビチューナ２ａおよびアナログ入出力端子に接続されるＶＴＲから与えられてもよい。前記デジタルコンテンツ信号は、ＭＰＥＧ２エンコーダ２ｃおよび中央制御部１１に与える。コンテンツは、このＡＤコンバータ２ｂでＡＤ変換されてデジタルデータ化される。
【００４１】
ＭＰＥＧ２エンコーダ２ｃは、ＭＰＥＧ２符号化方式に基づいて、デジタルコンテンツ信号を符号化して、符号化コンテンツ信号を生成する。前記デジタルコンテンツ信号は、ＡＤコンバータ２ｂから与えられてもよい。前記符号化コンテンツ信号は、中央制御部１１を介して、記録部４、通信部９およびメモリカード接続部１０に与えられてもよい。コンテンツは、このＭＰＥＧ２エンコーダ２ｃで符号化される。
【００４２】
ＭＰＥＧ２デコーダ２ｄは、ＭＰＥＧ２符号化方式で符号化される符号化コンテンツ信号を復号化して、デジタルコンテンツ信号を生成する。前記符号化コンテンツ信号は、記録部４、通信部９およびメモリカード接続部１０から与えられてもよい。前記デジタルコンテンツ信号は、ＤＡコンバータ２ｅに与えられてもよい。コンテンツは、このＭＰＥＧ２デコーダ２ｄで複合化され、デジタルデータ化される。
【００４３】
ＤＡコンバータ２ｅは、デジタルコンテンツ信号をアナログコンテンツ信号に変換するデジタル・アナログ（Ｄｉｇｉｔａｌ  ｔｏ  Ａｎａｌｏｇ  ；略称：ＤＡ）変換を行う。前記デジタルコンテンツ信号は、ＭＰＥＧ２デコーダ２ｄから与えられてもよい。前記アナログコンテンツ信号は、アナログ入出力端子に接続される表示装置２１およびＶＴＲに与えられてもよい。コンテンツは、このＤＡコンバータ２ａでＤＡ変換されてアナログデータ化される。
【００４４】
表示装置２１は、画像記録装置１からアナログコンテンツ信号によってコンテンツが与えられ、コンテンツである映像を表示する。また表示装置２１には、増幅器およびスピーカなどの音声出力装置が備えられ、音声を出力する。
【００４５】
画像入出力部２は、アンテナ２ｆを介して受信される、放送局２０からのデジタルテレビジョン放送電波に含まれ、コンテンツを表すデジタルコンテンツ信号を抽出する検波を行うデジタルテレビチューナを、さらに備えるようにしてもよい。この場合、デジタルコンテンツ信号は、ＭＰＥＧ２符号化方式に基づいて符号化される符号化コンテンツ信号である。前記符号化コンテンツ信号は、ＭＰＥＧ２デコーダ２ｄに与えられたり、中央制御部１１を介して記録部４に与えられるようにしてもよい。このようにデジタルデータとしてコンテンツを取得するようにしてもよい。
【００４６】
また画像入出力部２は、たとえばデジタル方式でコンテンツを記録可能なハードディスクレコーダ（Ｈａｒｄ  Ｄｉｓｋ  Ｒｅｃｏｒｄｅｒ）、パーソナルビデオレコーダ（Ｐｅｒｓｏｎａｌ  Ｖｉｄｅｏ  Ｒｅｃｏｒｄｅｒ  ；略称：ＰＶＲ）およびＤＶＤ（Ｄｉｇｉｔａｌ  Ｖｅｒｓａｔｉｌｅ  Ｄｉｓｋ）レコーダなどに接続可能なデジタル画像入出力端子およびデジタル音声入出力端子（以後これらの端子をまとめて「デジタル入出力端子」と表記することがある。）を備えるようにしてもよい。この場合、コンテンツは、デジタルコンテンツ信号によって、デジタル入出力端子に接続されるデジタル方式のビデオレコーダに与えられてもよい。
【００４７】
オンスクリーンディスプレイ（Ｏｎ−Ｓｃｒｅｅｎ  Ｄｉｓｐｌａｙ  ；略称：ＯＳＤ）生成部３は、中央制御部１１によって制御され、画像入出力部２から表示装置２１に出力されるアナログデータ形式のコンテンツに合成して、表示装置２１に表示させるための合成データを生成する。
【００４８】
記録部４は、たとえばハードディスクドライブ（Ｈａｒｄ  Ｄｉｓｋ  Ｄｒｉｖｅ  ；略称：ＨＤＤ）などの固定型の磁気記録媒体用いた手段およびデジタル多機能ディスク（Ｄｉｇｉｔａｌ  Ｖｅｒｓａｔｉｌｅ  Ｄｉｓｋ；略称：ＤＶＤ）などの着脱可能な光記録媒体を用いた手段によって実現される。記録部４は、画像データ記録部４ａおよびインデックスデータ記録部４ｂを有する。画像データ記録部４ａには、符号化されたコンテンツが記録される。前記符号化されたコンテンツは、画像入出力部２およびメモリカード接続部１０から与えられてもよい。インデックスデータ記録部４ｂには、前記符号化されたコンテンツの、記録部４における記録アドレス、記録日時、チャンネルおよび符号化ビットレートなどの記録情報、ならびにコンテンツのタイトルなどを含むインデックスが記録される。記録部４は、後述する中央制御部１１によって制御される。
【００４９】
指示入力部７は、キーボードおよびリモートコントローラ（略称：リモコン）２２からのリモコン信号を受信するリモコン受信部などで実現される。指示入力部７は、利用者の入力操作によって、各種入力指令が入力される。
【００５０】
プログラムメモリ５は、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）およびフラッシュメモリ（ｆｌａｓｈ  ｍｅｍｏｒｙ）などの書換え可能な不揮発性メモリで実現される。プログラムメモリ５には、中央制御部１１が実行可能な、記録再生制御プログラム５ａ、画像変換プログラム５ｂ、ＥＰＧ取得プログラム５ｃ、記録予約制御プログラム５ｄ、キーワード予約制御プログラム５ｅ、おすすめ予約制御プログラム５ｆ、フォトアルバム制御プログラム５ｇ、嗜好データ抽出プログラム５ｈおよびＥＰＧ表示プログラム５ｉが記憶されている。各プログラム５ａ〜５ｉの詳細な説明は後述する。
【００５１】
データメモリ６は、たとえばランダムアクセスメモリ（Ｒａｎｄｏｍ  Ａｃｃｅｓｓ  Ｍｅｍｏｒｙ；略称：ＲＡＭ）などの揮発性メモリで実現される。データメモリ６は、記録再生予約データ記憶部６ａ、ＥＰＧデータ記憶部６ｂ、キーワードデータ記憶部６ｃおよび嗜好データ記憶部６ｄを有する。
【００５２】
記録再生予約データ記憶部６ａは、放送局２０からのコンテンツを記録部４に記録することを予約する記録予約に必要な予約情報を記憶する。キーワードデータ記憶部６ｃは、指示入力部７から入力された利用者に関する嗜好キーワードを記憶する。嗜好データ記憶部６ｄは、利用者の利用状況に基づく嗜好データを記憶する。
【００５３】
ＥＰＧデータ記憶部６ｂは、インターネット２５を介して接続されるＥＰＧサーバ２７に蓄積される電子番組案内（Ｅｌｅｃｔｒｏｎｉｃ  Ｐｒｏｇｒａｍ  Ｇｕｉｄｅ；略称：ＥＰＧ）を記憶する。放送局２０は、前記ＥＰＧで表され、予め設定される提供時間枠に区切られる提供予定に従って、アナログテレビジョン放送電波を送信することによって、コンテンツを提供する。ＥＰＧは、詳細に述べると、搬送波周波数に対応する各チャンネル毎に、各提供時間枠で提供されるコンテンツのタイトル、ジャンル、出演者名などのキーワードを含むインデックスを有する。ＥＰＧは、放送局２０からのデジタルコンテンツ信号に重畳して画像記録再生装置１に与えるようにしてもよい。この場合、画像入出力部２によって、デジタルコンテンツ信号からＥＰＧが抽出され、抽出されたＥＰＧは、ＥＰＧデータ記憶部６ｂに記憶される。また、ＥＰＧは、放送局２０からのアナログテレビジョン放送電波における映像信号の垂直帰線区間（Ｖｅｒｔｉｃａｌ  Ｂｌａｎｋｉｎｇ  Ｉｎｔｅｒｖａｌ；略称：ＶＢＩ）に重畳して画像記録再生装置１に与えるようにしてもよい。この場合、画像入出力部２によって、映像信号のＶＢＩからＥＰＧが抽出され、抽出されたＥＰＧは、ＥＰＧデータ記憶部６ｂに記憶される。
【００５４】
キーワードデータ記憶部６ｃは、指示入力部７から入力される嗜好キーワードを記憶する。嗜好データ記憶部６ｄは、嗜好データを記憶する。前記嗜好データは、利用者の利用状況に基づいて設定される。また嗜好データは、指示入力部７から入力されてもよい。嗜好データは、たとえば利用者の興味のあるジャンル、高頻度で記録されるコンテンツのタイトルなどである。
【００５５】
計時部８は、たとえばリアルタイムクロック（Ｒｅａｌ  Ｔｉｍｅ  Ｃｌｏｃｋ  ；略称：ＲＴＣ）で実現される。計時部８は、中央制御部１１、プログラムメモリ５およびデータメモリ６の動作の基準となるシステムクロック、ならびに現在時刻などを含む計時情報を中央制御部１１に与える。
【００５６】
通信部９は、ローカルエリアネットワーク（Ｌｏｃａｌ  Ａｒｅａ  Ｎｅｔｗｏｒｋ；略称：ＬＡＮ）２３を介して第１パーソナルコンピュータ（以後「第１ＰＣ」と略して表記する。）２４および記録端末装置２９に接続して通信可能である。また通信部９は、インターネット２５を介して、第２パーソナルコンピュータ（以後「第２ＰＣ」を略して表記する。）２６、ＥＰＧサーバ２７および携帯電話装置２８に接続して通信可能である。また通信部９は、ＬＡＮ２３を介して接続される第１ＰＣ２４が、インターネット２５を介して、第２ＰＣ２６、ＥＰＧサーバ２７および携帯電話装置２８に接続して通信できるようにするゲートウェイ機能およびルーティング機能を有する。第１および第２ＰＣ２４，２６ならびに記録端末装置２９は、それぞれ１つであってもよいし、複数であってもよい。
【００５７】
また通信部９は、インターネット２５を介して接続されるパーソナルコンピュータなどの通信端末装置から、不正なデータが入って来ないようにするファイアウォール機能を有するようにしてもよい。またＬＡＮ２３は、有線であっても無線であってもよい。
【００５８】
メモリカード接続部１０は、たとえばフラッシュメモリなどの書換え可能な不揮発性メモリを備えるメモリカードを着脱自在にして接続可能である。メモリカード接続部１０にメモリカードを装着することによって接続され、中央制御部１１による制御によって、メモリカードに記憶されている情報を読出したり、メモリカードに情報を記憶させたりする。メモリカードには、たとえばデジタルスチルカメラによって撮影された静止画像を表すフォトデータが記憶されてもよい。
【００５９】
中央制御部１１は、たとえば中央演算処理装置（Ｃｅｎｔｒａｌ  Ｐｒｏｃｅｓｓｉｎｇ  Ｕｎｉｔ  ；略称：ＣＰＵ）で実現され、計時部８からの計時情報に基づいて駆動し、プログラムメモリ５に記憶されている各プログラム５ａ〜５ｉを実行して、各種処理を行う。
【００６０】
中央制御部１１は、記録再生制御プログラム５ａを実行することによって、指示入力部７からの入力指令およびデータメモリ６の記録再生予約データ記憶部６ａに記憶される予約情報に従って、予約されるコンテンツを取得して画像データ記録部４ａに記録するように、画像入出力部２および記録部４を制御する。またこのとき、中央制御部１１は、画像データ記録部４ａに記録されるコンテンツに関連するインデックスを、インデックスデータ記録部４ｂに記録するように、記録部４を制御する。また中央制御部１１は、記録再生制御プログラム５ａを実行することによって、指示入力部７からの、画像データ記録部４ａに記録されているコンテンツを再生することを示す入力指令に従って、画像データ記録部４ａに記録されているコンテンツを表示装置２１に表示および出力させるように、画像入出力部２および記録部４を制御する。このとき記録部４に記録されているコンテンツは、ＭＰＥＧ２デコーダ２ｄに与えられて復号化され、さらにＤＡコンバータ２ｅに与えられてＤＡ変換されて、アナログ入出力端子から表示装置２１に与えられる。
【００６１】
画像入出力部２がデジタル入出力端子を備えている場合、中央制御部１１は、記録再生制御プログラム５ａを実行することによって、記録部４に記録されているコンテンツを、ＤＡコンバータ２ｅを介さずに、デジタル入出力端子に接続されているデジタル方式のビデオレコーダなどに与えるようにしてもよい。
【００６２】
中央制御部１１は、画像変換プログラム５ｂを実行することによって、記録部４に記録されているコンテンツに対して、たとえば符号化ビットレートを変更したり、符号化方式をＭＰＥＧ２からＭＰＥＧ４に変換したりする画像変換処理を行う。さらに中央制御部１１は、記録再生制御プログラム５ａを実行することによって、前述のような画像変換処理が施されたコンテンツを記録するように記録部４を制御したり、ＬＡＮ２３を介して接続される第１ＰＣ２４およびインターネット２５を介して接続される第２ＰＣ２６に与えるように通信部９を制御してもよい。
【００６３】
中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに記憶する。またＥＰＧが放送局２０からのデジタルコンテンツ信号に重畳して画像記録再生装置１に与えられる場合、中央制御部１１は、ＥＰＧ取得プログラム５ｃを実行することによって、デジタルコンテンツ信号からＥＰＧを抽出するように画像入出力部２を制御するとともに、抽出されたＥＰＧをＥＰＧデータ記憶部６ｂに記憶する。
【００６４】
中央制御部１１は、ＥＰＧ表示プログラム５ｉを実行することによって、ＥＰＧデータ記憶部６ｂに記憶されているＥＰＧを、利用者が容易に理解できるような一覧表形式に加工して、画像入出力部２から表示装置２１に与えられるコンテンツに重畳するようにＯＳＤ生成部３を制御する。これによって表示装置２１には、ＥＰＧの一覧表が重畳されるコンテンツが表示される。
【００６５】
利用者がリモコン２２および指示入力部７を入力操作して入力指令が入力されると、中央制御部１１は、記録予約制御プログラム５ｄを実行して、表示装置２１に表示されている一覧表上にカーソルを形成し、入力指令に応じてカーソルを移動させるようにＯＳＤ生成部３を制御する。利用者の入力操作によって所望のコンテンツが指定されると、中央制御部１１は、記録予約制御プログラム５ｄを実行して、ＥＰＧデータ記憶部６ｂに記憶されているＥＰＧに基づいて、指定されたコンテンツの記録開始日時、記録終了日時およびチャンネルなどを含む予約情報を、記録再生予約データ記憶部６ａに記憶する。
【００６６】
利用者がリモコン２２および指示入力部７を入力操作して、コンテンツの記録開始日時、記録終了日時、チャンネル、記録予定画質および記録または視聴の区別などを含む予約情報が入力されると、中央制御部１１は、記録予約制御プログラム５ｄを実行して、前記予約情報を記録再生予約データ記憶部６ａに記憶する。利用者が第１ＰＣ２４、第２ＰＣ２６および携帯電話装置２８を操作して、予約情報を入力して、前記記録予約がＬＡＮ２３およびインターネット２５を介して通信部９に与えられると、中央制御部１１は、記録予約制御プログラム５ｄを実行して、前記記録予約を記録再生予約データ記憶部６ａに記憶する。このようにして手動予約が行われる。
【００６７】
中央制御部１１は、キーワード予約制御プログラム５ｅを実行することによって、データメモリ６のキーワードデータ記憶部６ｃに記憶されている嗜好キーワードに基づいて、ＥＰＧデータ記憶部６ｂに記憶されているＥＰＧを検索して、前記嗜好キーワードを含むインデックスに対応するコンテンツを抽出し、前記コンテンツの提供時間枠およびチャンネルなどを含む予約情報を、記録再生予約データ記憶部６ａに記憶する。このようにしてキーワード予約が行われる。このとき記録開始日時は、提供時間枠におけるコンテンツの提供開始日時であり、記録終了日時は、提供時間枠におけるコンテンツの提供終了日時である。
【００６８】
中央制御部１１は、おすすめ予約制御プログラム５ｆを実行することによって、データメモリ６の嗜好データ記憶部６ｄに記憶されている嗜好データに基づいて、ＥＰＧデータ記憶部６ｂを検索して、前記嗜好データを含むインデックスに対応するコンテンツを抽出し、前記コンテンツの提供時間枠およびチャンネルなどを含む予約情報を記録再生予約データ記憶部６ａに記憶する。このようにして、おすすめ予約が行われる。このとき記録開始日時は、コンテンツの提供時間枠におけるコンテンツの提供開始日時であり、記録終了日時は、提供時間枠におけるコンテンツの提供終了日時である。
【００６９】
中央制御部１１は、フォトアルバム制御プログラム５ｇを実行することによって、メモリカード接続部１０によって読取られたメモリカードに記憶されているフォトデータを記録部４に記録する。また中央制御部１１は、フォトアルバム制御プログラム５ｇを実行することによって、表示装置２１、第１ＰＣ２４、第２ＰＣ２６および携帯電話装置２８に、記録部４に記録されているフォトデータを一覧表形式で表示できるようなフォトアルバムデータを生成する。このように生成されたフォトアルバムデータは、ＬＡＮ２３を介して接続される第１ＰＣ２４および記録端末装置２９、ならびにインターネット２５を介して接続される第２ＰＣ２６および携帯電話装置２８に与えることができる。
【００７０】
中央制御部１１は、嗜好データ抽出プログラム５ｈを実行することによって、利用者の利用状況に基づいて嗜好データを生成して、データメモリ６の嗜好データ記憶部６ｄに記憶する。この嗜好データは、おすすめ予約が行われるときに用いられる。
【００７１】
図２は、表示装置２１に表示されるアプリメニューＭ１を示す図である。表示装置２１の表示画面において、前記表示画面に平行な予め定める第１方向を上方向、前記第１方向とは反対向きの方向を下方向、前記表示画面に平行であって前記第１方向に垂直な第２方向を右方向、前記第２方向とは反対向きの方向を左方向とする。
【００７２】
利用者がリモコン２２に設けられるメニューボタンを押圧すると、アプリメニューＭ１の表示を示す入力指令が指示入力部７に与えられる。中央制御部１１は、前記入力指令に基づいて、アプリメニューＭ１を表す表示データを生成して、前記表示データを画像入出力部２を介して、表示装置２１に与える。これによって図２に示すようなアプリメニューＭ１が表示装置２１に表示される。
【００７３】
アプリメニューＭ１は、ステータス表示領域Ａ１、項目表示領域Ａ２、項目説明表示領域Ａ３、コンテンツ表示領域Ａ４および操作説明表示領域Ａ５を有する。ステータス表示領域Ａ１は、表示画面において上端部に配置される。ステータス表示領域Ａ１には、メニュータイトル、記録モード、記録可能時間および現在日時などのステータス情報が表示される。項目表示領域Ａ２は、表示画面において中央部右寄りに配置される。項目表示領域Ａ２には、テレビＨ１、番組表Ｈ２、番組ナビＨ３、ビデオＨ４、予約Ｈ５、インターネットＨ６、フォトアルバムＨ７および設定Ｈ８を含むメニュー項目がマトリクス状に配置されて表示される。
【００７４】
項目説明表示領域Ａ３は、表示画面において左端部上寄りに配置される。項目説明表示領域Ａ３には、カーソルＣが重ねられて選択されているメニュー項目に関連する説明が表示される。コンテンツ表示領域Ａ４は、表示画面において左端部下寄りに配置される。コンテンツ表示領域Ａ４には、現在選択されているチャンネルに対応する放送局２０から提供されているコンテンツが表示される。操作説明表示領域Ａ５は、表示画面において下端部に配置される。操作説明表示領域Ａ５には、リモコン２２に設けられるボタンに対応する操作説明が表示される。
【００７５】
表示装置２１に図２に示すアプリメニューＭ１が表示されているとき、利用者は、リモコン２２に設けられるカーソルボタンを操作することによって、表示されているカーソルＣを上下左右に移動することができる。利用者は、リモコン２２を操作して、項目表示領域Ａ２に表示されている項目にカーソルＣを移動して所望とするメニュー項目のいずれか１つに重ねることで、前記メニュー項目を選択する。さらにこの状態で、利用者は、リモコン２２に設けられる決定ボタンを押圧することによって、選択したメニュー項目を決定して、選択されたメニュー項目に関連付けされる後述する各種メニューなどを、表示装置２１に表示することができる。
【００７６】
以後、リモコン２２のカーソルボタンを操作して、表示画面に表示されている項目などにカーソルＣを重ねることを、単に「選択する」と表記することがある。また項目などが選択されている状態で、リモコン２２の決定ボタンを押圧することを、単に「決定する」と表記することがある。
【００７７】
表示装置２１に図２に示すアプリメニューＭ１が表示されているとき、利用者が、テレビＨ１を選択して決定すると、中央制御部１１は、現在、画像入出力部２によって選択されているチャンネルに対応する放送局２０から提供されているコンテンツを表示装置２１の表示画面全体に表示するように画像入出力部２を制御する。これによって表示装置２１の表示画面全体に、前記コンテンツが表示される。
【００７８】
表示装置２１に図２に示すアプリメニューＭ１が表示されているとき、利用者が、インターネットＨ６を選択して決定すると、中央制御部１１は、インターネット２５を介して接続されるコンテンツサーバが蓄積しているウェブコンテンツを取得するように通信部９を制御する。また中央制御部１１は、取得したウェブコンテンツを表示装置２１に表示するように画像入出力部２を制御する。これによって表示装置２１に前記ウェブコンテンツが表示される。
【００７９】
表示装置２１に図２に示すアプリメニューＭ１が表示されているとき、利用者が、フォトアルバムＨ７を選択して決定すると、中央制御部１１は、プログラムメモリ５に記憶されているフォトアルバム制御プログラム５ｇを実行して、記録部４およびメモリカード接続部１０に装着されているメモリカードが記録および記憶しているフォトデータを、表示装置２１、第１ＰＣ２４、第２ＰＣ２６および携帯電話装置２８に表示するためのフォトアルバムデータを生成する。これによって表示装置２１ならびに第１ＰＣ２４、第２ＰＣ２６および携帯電話装置２８の表示部（図示せず）にフォトアルバムデータを表示することができる。
【００８０】
表示装置２１に図２に示すアプリメニューＭ１が表示されているとき、利用者が、設定Ｈ８を選択して決定すると、中央制御部１１は、各種設定メニューを表示装置２１に表示するように画像入出力部２を制御する。これによって表示装置２１に前記設定メニューが表示される。
【００８１】
本実施の形態において、コンテンツ記録装置およびコンテンツ再生装置は、画像記録再生装置１である。またコンテンツ再生装置は、第１ＰＣ２２および第２ＰＣ２６であってもよい。記録手段は、記録部４である。優先情報生成手段は、中央制御部１１である。符号化手段および変換手段ならびに抽出手段は、画像入出力部２および中央制御部１１である。取得手段は、画像入出力部２および通信部９の少なくともいずれかである。記録入力手段および判定情報入力手段ならびに再生入力手段および指令入力手段は、指示入力部７およびリモコン２２である。再生手段は、画像入出力部２および中央制御部１１である。一時記憶手段は、記録部４およびデータメモリ６の少なくともいずれかである。提供元は、放送局２０およびＥＰＧサーバ２７である。画像記録再生装置１は、コンテンツ記録プログラムおよびコンテンツ再生プログラムを実行する。また画像記録再生装置１は表示装置２１を含む構成としてもよい。
【００８２】
本実施の形態において、コンテンツは、理解を容易にするために、国際標準化機構（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ；略称：ＩＳＯ）の下部組織にあたる標準化団体である符号化専門家集団（Ｍｏｖｉｎｇ  Ｐｉｃｔｕｒｅ  ｃｏｄｉｎｇ
Ｅｘｐｅｒｔｓ  Ｇｒｏｕｐ  ；略称：ＭＰＥＧ）による勧告に基づくＭＰＥＧ２符号化方式によって可変長符号化されている。コンテンツには、映像を表す映像データ、音声を表す音声データおよびその他の付随データが、時分割多重化されて含まれ、１つのストリームで表現される。
【００８３】
図３は、ＭＰＥＧ２符号化方式によって符号化されるコンテンツのプログラムストリームＰＳの構造を簡略化して模式的に示した図である。ＭＰＥＧ２システムにおいて、コンテンツのプログラムストリームＰＳは、図３（１）に示すように、データ群であるパック（ｐａｃｋ）Ｐｋと呼ばれる単位に分割されている。このようにプログラムストリームＰＳがパックＰｋに分割されていることによって、プログラムストリームＰＳのランダムアクセス性と、伝送の途中でデータが欠落したときに欠落したデータの復旧可能な障害復旧性とを有する。パックＰｋは、図３（１）に示すように、パケット（ｐａｃｋｅｔ）Ｐｔと呼ばれる、パックよりも小さな単位に分割されている。このようにパックＰｋがパケットＰｔに分割されていることによって、パックＰｋと同様のランダムアクセス性および障害復旧性を有する。
【００８４】
またパックＰｋは、パックヘッダＰｈおよびシステムヘッダＳｈを備える。パックヘッダＰｈは、図３（２）に示すように、パック開始コードおよび基準時間情報（Ｓｙｓｔｅｍ  Ｃｌｏｃｋ  Ｒｅｆｅｒｅｎｃｅ；略称：ＳＣＲ）を有する。パック開始コードは、パックの開始を表すコードナンバーである。基準時間情報は、コンテンツを再生するときに用いられ、パケットの復号、後述するパケットデータの再生のタイミングを正確に設定するための基準となる時間情報である。パックヘッダＰｈは、このように重要な情報を有するので、パックＰｋの先頭には必ず含まれる。
【００８５】
システムヘッダＳｈは、図３（３）に示すように、システムヘッダ開始コード、映像解像度、音声チャンネル数および音声ビットレートなどの情報を有する。システムヘッダＳｈに含まれる情報は、当該システムヘッダＳｈが含まれるプログラムストリームＰＳにおいて変化しない共通の情報である。システムヘッダ開始コードは、システムヘッダの開始を表すコードナンバーである。音声チャンネル数は、コンテンツに含まれる音声データで表される音声が、たとえばモノラルの場合には「１」が、音声多重の場合には「２」が格納される。システムヘッダＳｈは、プログラムストリームＰＳの先頭のパックに必ず一つ含まなければならない。また先頭のパック以降のパックに関しては、システムヘッダＳｈを含めても含めなくてもよい。
【００８６】
パケットＰｔは、図３（４）に示すように、パケット開始コード、パケットデータ長、種別、再生時刻、デコード時刻およびパケットデータなどの情報を有する。パケット開始コードは、当該パケットＰｔの開始を表すコードナンバーである。パケットデータ長は、当該パケットのデータ容量を表す。種別には、「映像」、「音声」および「拡張」などがあり、これによって当該パケットＰｔがどのような種類であるかを区別可能である。
【００８７】
再生時刻（Ｐｒｅｓｅｎｔａｔｉｏｎ  Ｔｉｍｅ  Ｓｔａｍｐ  ；略称：ＰＴＳ）は、コンテンツを再生するときに、映像データと音声データとの同期を取るために用いられ、パックヘッダＰｈに含まれる基準時間を基準とする相対的な時間である。パケットＰｔの種別が映像である場合、前記再生時刻は、映像データのフレーム単位で再生すべき、基準時間を基準とする相対的な時間である。デコード時間は、コンテンツを再生するときに用いられ、パックヘッダＰｈに含まれる基準時間を基準として、当該パケットＰｔに含まれるパケットデータを復号すべき時刻を表す。パケットＰｔにおいて、再生時刻とデコード時刻とを別にしているのは、パケットデータを再生する順序とデコードする順序とが異なる場合があるためである。
【００８８】
コンテンツのプログラムストリームＰＳにおけるパケットＰｔの種別が「映像」である場合、当該パケットＰｔのパケットデータには、映像データの実際のデータが格納される。当該パケットＰｔのパケットデータ長が小さい場合には、映像データの１フレームが、パケットデータに格納される。このように種別が「映像」であるパケットは、「ビデオパケット」と呼ばれることがある。
【００８９】
コンテンツのプログラムストリームＰＳにおけるパケットＰｔの種別が「音声」である場合、当該パケットＰｔのパケットデータには、音声データの実際のデータが格納される。当該パケットＰｔのパケットデータ長が小さい場合には、音声データの一部分が、パケットデータに格納される。このように種別が「音声」であるパケットは、「オーディオパケット」と呼ばれることがある。
【００９０】
図４は、コンテンツのプログラムストリームＰＳにおける種別が「拡張」であるパケットＰｔのパケットデータを模式的に示す図である。種別が「拡張」であるパケットは、コンテンツがＭＰＥＧ２符号化方式によって符号化される場合には、「プライベートパケット」と呼ばれることがある。種別が「拡張」であるパケットＰｔのパケットデータには、音声モード情報および優先出力音声情報が格納される。以後、種別が「拡張」であるパケットＰｔを、「拡張パケット」を表記することがある。
【００９１】
音声モード情報は、少なくとも当該音声モード情報が含まれるパックにおける音声データの種類を表す。本実施の形態おいては、理解を容易にするために、音声モード情報には、「モノラル音声」、「ステレオ音声」および「二重音声」のいずれかが格納される。モノラル音声とは、音声チャンネルが１つだけの音声である。ステレオ音声は、２つの音声チャンネルを有する多重音声の一種であって、一方の音声チャンネルである左音声チャンネルと、他方の音声チャンネルである右音声チャンネルとを含む。二重音声は、２つの音声チャンネルを有する多重音声の一種であって、たとえば２ヶ国語音声および副音声解説音声などの多重音声であり、一方の音声チャンネルである主音声チャンネルと、他方の音声チャンネルである副音声チャンネルを含む。
【００９２】
優先情報である優先音声出力情報は、記録されたコンテンツを再生するときに、音声データにおいて予め定められる優先して再生すべき音声チャンネルを表す。優先音声出力情報は、コンテンツの音声データの音声チャンネルが２つ以上、換言すれば、音声モード情報が「ステレオ音声」および「二重音声」のいずれかである場合に意味をなす。優先音声出力情報には、「主音声」、「副音声」および「主音声＋副音声」の３つのうちのいずれか１つが格納される。優先音声出力情報が「主音声」であるとは、音声モード情報が「ステレオ音声」の場合、左音声チャンネルを優先することを表し、音声モード情報が「二重音声」の場合、主音声チャンネルを優先することを表す。優先音声出力情報が「副音声」であるとは、音声モード情報が「ステレオ音声」の場合、右音声チャンネルを優先することを表し、音声モード情報が「二重音声」の場合、副音声チャンネルを優先することを表す。また優先音声出力情報が「主音声＋副音声」であるとは、音声モード情報が「ステレオ音声」の場合、左音声チャンネルおよび右音声チャンネルを優先することを表し、音声モード情報が「二重音声」の場合、主音声チャンネルおよび副音声チャンネルを優先することを表す。
【００９３】
図５は、ＭＰＥＧ２符号化方式によって符号化されるコンテンツにおける映像データＶＤのデータ構造を模式的に示す図である。コンテンツにおける映像データＶＤは、図５（１）に示すように、シーケンスヘッダＳＨとピクチャグループ（Ｇｒｏｕｐ  Ｏｆ  Ｐｉｃｔｕｒｅｓ  ；略称：ＧＯＰ）ＧＯＰ（ピクチャグループに関しては、略称「ＧＯＰ」を参照符号としても用いる。）とが、交互に配置されるデータ構造となっている。
【００９４】
シーケンスヘッダＳＨは、図５（２）に示すように、シーケンス開始コード、水平画素数、垂直画素数、フレームレートおよびビットレートなどの情報を有する。シーケンス開始コードは、シーケンスの開始を表すコードナンバーである。水平画素数および垂直画素数は、後に続くＧＯＰに含まれる映像データの水平方向および垂直方向の画素数を表す。フレームレートは、映像データを再生するときに、後に続くＧＯＰに含まれるフレームを、１秒間に何枚表示させるかを示す。ビットレートは、ＧＯＰを符号化したときの、１秒当たりのデータ容量を表す瞬間符号化ビットレートである。
【００９５】
ＧＯＰは、フレーム内符号化フレーム（Ｉｎｔｒａ−ｃｏｄｅｄ  ｐｉｃｔｕｒｅ  ；略称：Ｉフレーム）と、フレーム間符号化フレーム（Ｐｒｅｄｉｃｔｉｖｅ−ｃｏｄｅｄ  ｐｉｃｔｕｒｅ；略称：Ｐフレーム）と、フレーム内挿符号化フレーム（Ｂｉｄｉｒｅｃｔｉｏｎａｌｌｙ−ｃｏｄｅｄ  ｐｉｃｔｕｒｅ；略称：Ｂフレーム）との３種類の静止画像であるフレームを有する。Ｉフレームは、他のフレームを参照することなく、自分自身の画像情報だけを参照して圧縮符号化されるフレームである。Ｐフレームは、時間的に過去のＩフレームおよびＰフレームのうち、最も時間的に近いフレームを参照して差分をとり、その差分情報を用いて圧縮符号化されるフレームである。Ｂフレームは、時間的に過去のＩフレームおよびＰフレームのうち、最も時間的に近いフレームと、時間的に未来のＩフレームおよびＰフレームのうち、最も時間的に近いフレームとを参照して差分をとり、その差分情報を用いて圧縮符号化されるフレームである。
【００９６】
表１は、ＥＰＧデータ記憶部６ｂに記憶されているＥＰＧの一例を示す表である。
【００９７】
【表１】
2004248056.tif 000003
【００９８】
ＥＰＧは、コンテンツ毎に予め設定される、番組ＩＤ、提供開始日時、提供終了日時、チャンネル、ジャンル、音声モード情報、副音声情報および番組内容を含む。番組ＩＤは、コンテンツの識別番号である。提供開始日時は、放送局２０からコンテンツの提供が開始される年月日および時刻である。提供終了日時は、放送局２０からのコンテンツの提供が終了する年月日および時刻である。チャンネルは、コンテンツが提供される放送局２０に対応するチャンネルを表す。ジャンルは、コンテンツが属するジャンルを示す。
【００９９】
音声モード情報が二重音声の場合、二重音声の種類、たとえば「２ヶ国語」および「副音声解説」などのさらに詳細な情報を音声モード情報に付加してもよい。「２ヶ国語」は、たとえば主音声チャンネルが日本語で、副音声チャンネルが外国語である二重音声である。「副音声解説」は、たとえば主音声チャンネルおよび副音声チャンネルともに日本語であるけれども、副音声では、たとえば身体障害者向けの解説であったり、表示装置２１の表示画面の表示領域を２つの領域に分割して、主音声チャンネルおよび副音声チャンネルで各領域に対応させるような二重音声である。副音声情報は、音声モードが「二重音声」の場合の、音声データの副音声チャンネルの内容を表す。番組内容は、コンテンツのタイトルおよび内容を示す。本実施の形態において、コンテンツ関連情報は、副音声情報およびジャンルである。
【０１００】
画像記録再生装置１の中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに、表１に示すような形式で記憶する。ＥＰＧの取得は、たとえば毎日１回行われる。またＥＰＧが放送局２０からのアナログテレビジョン放送電波における映像信号に重畳される場合、画像入出力部２は、常に映像信号からＥＰＧを抽出して、ＥＰＧデータ記憶部６ｂに表１に示すような形式で記憶するようにしてもよい。
【０１０１】
表２は、音声モード情報に対応して予め設定されている優先音声出力情報の一例を示す表である。
【０１０２】
【表２】
2004248056.tif 000004
【０１０３】
画像記録再生装置１において、利用者が優先音声出力情報を入力していない状態では、優先音声出力情報は、たとえば表１に示すように、音声モード情報に対応して設定されて、記録部４およびデータメモリ６のいずれかに記憶される。
【０１０４】
図６は、表示装置２１に表示される優先出力音声情報設定メニューＭ１２を示す図である。利用者の意思を反映するような優先出力音声情報を生成したい場合には、表示装置２１に図２に示すアプリメニューＭ１が表示されているときに、利用者がリモコン２２および指示入力部７を入力操作して、設定Ｈ８を選択して決定すると、表示装置２１に図６に示す優先出力音声情報設定メニューＭ１２が表示される。
【０１０５】
優先出力音声情報設定メニューＭ１２は、ステレオ用選択表示領域Ａ１８および二重音声用選択表示領域Ａ１９ならびにボタン表示領域Ａ２０を有する。ステレオ用選択表示領域Ａ１８には、記録したいコンテンツの音声モード情報がステレオ音声の場合の優先出力音声情報を選択するための選択肢と、当該選択肢を選択するためのステレオ用ラジオボタンＲｂ１とが表示される。ステレオ用選択表示領域Ａ１８における選択肢には、「右音声＋左音声」、「右音声のみ」および「左音声のみ」がある。選択肢「右音声＋左音声」は、音声モード情報がステレオ音声のコンテンツに対しては、右音声チャンネルと左音声チャンネルとを優先出力音声情報とすることを表す。選択肢「右音声のみ」は、音声モード情報がステレオ音声のコンテンツに対しては、右音声チャンネルだけを優先出力音声情報とすることを表す。選択肢「左音声のみ」は、音声モード情報がステレオ音声のコンテンツに対しては、左音声チャンネルだけを優先出力音声情報とすることを表す。
【０１０６】
二重音声用選択表示領域Ａ１９には、記録したいコンテンツの音声モード情報が二重音声の場合の優先出力音声情報を選択するための選択肢と、当該選択肢を選択するための二重音声用ラジオボタンＲｂ２とが表示される。二重音声用選択表示領域Ａ１９における選択肢には、「主音声（左音声）のみ」、「副音声（右音声）のみ」および「主音声＋副音声」がある。選択肢「主音声（左音声）のみ」は、音声モード情報が二重音声のコンテンツに対しては、主音声チャンネルだけを優先出力音声情報とすることを表す。選択肢「副音声（右音声）のみ」は、音声モード情報が二重音声のコンテンツに対しては、副音声チャンネルだけを優先出力音声情報とすることを表す。選択肢「主音声＋副音声」は、音声モード情報が二重音声のコンテンツに対しては、主音声チャンネルと副音声チャンネルとを優先出力音声情報とすることを表す。ボタン表示領域Ａ２０には、「ＯＫ」ボタンＢ１０、「ジャンル別設定」ボタンＢ１１および「キャンセル」ボタンＢ１２が表示される。
【０１０７】
表示装置２１に図６に示す優先出力音声情報設定メニューＭ１２が表示されているときに、利用者は、リモコン２２のカーソルボタンを操作することによって、設定したい音声モード情報がステレオ音声の場合の優先出力音声情報および音声モード情報が二重音声の場合の優先出力音声情報に対応するステレオ用ラジオボタンＲｂ１および二重音声用ラジオボタンＲｂ２を選択する。この選択で良い場合、利用者は、リモコン２２を操作して「ＯＫ」ボタンＢ１０を選択し決定することで、各音声モード情報に対応する優先出力音声情報が記録部４およびデータメモリ６のいずれかに記憶されるとともに、表示装置２１には図２に示すアプリメニューＭ１が表示される。また、さらにジャンル別の優先出力音声情報の設定を行いたい場合、利用者は、リモコン２２を操作して「ジャンル別設定」ボタンＢ１１を選択し決定することで、各音声モード情報に対応する優先出力音声情報が記録部４およびデータメモリ６のいずれかに記録されるとともに、表示装置２１には後述する図７に示すジャンル別優先設定メニューＭ１３が表示される。またこの選択を破棄したい場合、利用者は、リモコン２２を操作して「キャンセル」ボタンＢ１２を選択し決定することで、優先出力音声情報の記憶が行われずに、表示装置２１には図２に示すアプリメニューＭ１が表示される。
【０１０８】
これによって、優先出力音声情報には、利用者の意思が反映される。また、たとえば表示装置２１および第１ＰＣ２４などの音声出力能力が１つの音声チャンネルしか出力できない場合にも、非常に有効である。
【０１０９】
図７は、表示装置２１に表示されるジャンル別優先設定メニューＭ１３を示す図である。利用者の意思をさらに反映し、かつ詳細な優先出力音声情報を生成したい場合には、表示装置２１に図６に示す優先出力音声情報設定メニューＭ１２が表示されているときに、利用者がリモコン２２および指示入力部７を入力操作して、「ジャンル別設定」ボタンＢ１１を選択して決定すると、表示装置２１に図７に示すジャンル別優先設定メニューＭ１３が表示される。
【０１１０】
ジャンル別優先設定メニューＭ１３は、ジャンル表示領域Ａ２１、ステレオ用選択表示領域Ａ２２および二重音声用選択表示領域Ａ２３ならびにボタン表示領域Ａ２４を有する。ジャンル表示領域Ａ２１には、コンテンツのＥＰＧに基づく各種ジャンルが表示される。ステレオ用選択表示領域Ａ２２には、各ジャンルに対応して、記録したいコンテンツの音声モード情報がステレオ音声の場合の優先出力音声情報を選択するための選択肢と、当該選択肢を選択するためのステレオ用ラジオボタンＲｂ３とが表示される。各選択肢に関しては、前述の図６の説明と同様であるので詳細な説明は省略する。
【０１１１】
二重音声用選択表示領域Ａ２３には、各ジャンルに対応して、記録したいコンテンツの音声モード情報が二重音声の場合の優先出力音声情報を選択するための選択肢と、当該選択肢を選択するための二重音声用ラジオボタンＲｂ４とが表示される。各選択肢に関しては、前述の図６の説明と同様であるので詳細な説明は省略する。ボタン表示領域Ａ２４には、「ＯＫ」ボタンＢ１３および「キャンセル」ボタンＢ１４が表示される。表示装置２１に図７に示すジャンル別優先設定メニューＭ１３が表示されているときの、利用者の操作および優先出力音声情報の記憶に関しては、前述の図６の説明と同様であるので詳細な説明は省略する。
【０１１２】
これによって、優先出力音声情報には、利用者の意思が詳細に反映される。また、たとえば表示装置２１および第１ＰＣ２４などの音声出力能力が１つの音声チャンネルしか出力できない場合にも、非常に有効である。
【０１１３】
表３は、ジャンルに対応して生成される優先出力音声情報の一例を示す表である。
【０１１４】
【表３】
2004248056.tif 000005
【０１１５】
画像記録再生装置１において、コンテンツを記録部４に記録するときに、コンテンツに付加される優先音声出力情報は、前述の図７の説明のようにして、ステレオ音声および二重音声のような多重音声の種類毎に、コンテンツのジャンルに対応して設定されて、たとえば表３に示すような形式で、記録部４およびデータメモリ６のいずれかに記憶される。
【０１１６】
表４は、副音声情報に対応して生成される優先出力音声情報の一例を示す表である。
【０１１７】
【表４】
2004248056.tif 000006
【０１１８】
画像記録再生装置１において、コンテンツを記録部４に記録するときに、コンテンツに付加される優先音声出力情報は、たとえば表４に示すように、ステレオ音声および二重音声のような多重音声の種類毎に、副音声情報に示される副音声の内容に対応して設定されて、記録部４およびデータメモリ６のいずれかに記憶されるようにしてもよい。これによって、優先出力音声情報には、利用者の意思がさらに詳細に反映される。
【０１１９】
これらのような優先音声出力情報を生成するための優先判定情報を、利用者は簡単な操作で容易に入力することができる。
【０１２０】
図８は、画像記録再生装置１におけるコンテンツの記録手順を示すフローチャートである。画像記録再生装置１のプログラムメモリ５には、図８のフローチャートに示される記録手順を実行するための記録再生制御プログラム５ａが記憶されている。ステップｓ０で、コンテンツの記録手順が開始されて、ステップｓ１に進む。
【０１２１】
取得工程であるステップｓ１では、中央制御部１１は、放送局２０からのアナログテレビジョン放送電波を受信して、アナログデータとしてのコンテンツを取得するように画像入出力部２を制御して、ステップｓ２に進む。画像入出力部２のアナログテレビチューナには、受信したアナログテレビジョン放送電波から制御チャンネル信号を抽出して、前記制御チャンネル信号が表すコンテンツの音声モード情報を取得する音声モード情報認識手段が搭載される。この音声モード情報認識手段によって、受信したアナログテレビジョン放送電波に含まれるコンテンツの音声モード情報が取得されて、前記音声モード情報が中央制御部１１に与えられる。
【０１２２】
ステップｓ２では、中央制御部１１は、アナログデータであるコンテンツをデジタルデータに変換するように画像入出力部２を制御して、ステップｓ３に進む。
【０１２３】
符号化工程および優先情報生成工程であるステップｓ３では、中央制御部１１は、デジタルデータに変換されたコンテンツを、所定の記録形式、本実施の形態においては、ＭＰＥＧ２符号化方式に基づいて、圧縮符号化するように画像入出力部２を制御して、ステップｓ４に進む。詳細には、ステップｓ３において、中央制御部１１は、コンテンツを圧縮符号化するときに、たとえば図３（４）に示すような拡張パケットを、音声モード情報および優先出力音声情報に基づいて生成して、少なくともパックＰｋに１つ、たとえばＧＯＰ毎にコンテンツに付加して、図３（１）に示すようなプログラムストリームＰＳを生成するように、画像入出力部２を制御する。このようにＧＯＰ毎に音声モード情報および優先出力音声情報をコンテンツに付加することによって、音声モード情報が変化しても、その変化点または前記変化点に可及的に近い部分に音声モード情報および優先出力音声情報が付加することができる。
【０１２４】
記録工程であるステップｓ４では、中央制御部１１は、ステップｓ３において圧縮符号化したコンテンツを記録部４に記録して、ステップｓ５に進む。
【０１２５】
ステップｓ５では、中央制御部１１は、指示入力部７からコンテンツの圧縮符号化の終了を表す符号化終了指示が入力されたか否かを判断する。符号化終了指示が入力されたと判断されると、ステップｓ６に進み、全ての手順を終了する。符号化終了支持が入力されていないと判断されると、ステップｓ１に戻る。
【０１２６】
図９は、画像記録再生装置１におけるコンテンツの再生手順を示すフローチャートである。画像記録再生装置１のプログラムメモリ５には、図９のフローチャートに示される手順を実行するための記録再生制御プログラム５ａが記憶されている。画像記録再生装置１の記録部４には、図８のフローチャートに示される記録手順によってコンテンツが記録されているとする。ステップｔ０で、コンテンツの再生手順が開始されて、ステップｔ１に進む。
【０１２７】
ステップｔ１では、中央制御部１１は、記録部４に記録されているコンテンツをＧＯＰ単位で読出して、ステップｔ２に進む。
【０１２８】
抽出工程であるステップｔ２では、中央制御部１１は、ステップｔ１において読出したコンテンツを、復号化し、コンテンツに含まれている音声モード情報および優先音声出力情報を抽出するように画像入出力部２を制御して、ステップｔ３に進む。
【０１２９】
ステップｔ３では、中央制御部１１は、ステップｔ２において復号化されたコンテンツをアナログデータに変換するように画像入出力部２を制御して、ステップｔ４に進む。
【０１３０】
再生工程であるステップｔ４では、中央制御部１１は、表示装置２１にコンテンツに含まれる映像データに基づく映像の表示および音声データに基づく音声の出力をさせるように、画像入出力部２を制御して、ステップｔ４に進む。詳細には、ステップｔ３において、中央制御部１１は、優先音声出力情報に基づく音声チャンネルを出力するように、画像入出力部２を制御する。
【０１３１】
ステップｔ５では、中央制御部１１は、指示入力部７からコンテンツの再生の終了を表す再生終了指示が入力されたか否かを判断する。再生終了指示が入力されたと判断されると、ステップｔ６に進む。再生終了支持が入力されていないと判断されると、ステップｔ１に戻る。
【０１３２】
ステップｔ６では、中央制御部１１は、再生しているコンテンツの全てのＧＯＰを読出したか否か、換言すればコンテンツが終了したか否かを判断する。コンテンツが終了したと判断されると、ステップｔ７に進み、全ての手順を終了する。コンテンツが終了していないと判断されると、ステップｔ１に戻る。
【０１３３】
図８のフローチャートに示される記録手順によって、コンテンツにはＧＯＰ毎に音声モード情報および優先出力音声情報を有する拡張パケットが付加されているので、図９に示すフローチャートのステップｔ１〜ｔ４の工程をＧＯＰ単位で繰返して行うことによって、音声モード情報の変化点または前記変化点に可及的に近い点において音声モード情報の変化を確実に検出することができる。これによって音声モード情報の変化に対応して、優先出力音声情報を生成して、優先出力音声情報に基づく音声チャンネルで音声を出力することができる。
【０１３４】
図１０は、コンテンツを再生しているときの表示装置２１の表示状態を示す図である。前述の図９のフローチャートに示す再生手順のステップｔ４において、中央制御部１１は、ＯＳＤ生成部３を制御して、音声モードアイコンＩｃ１および出力音声アイコンＩｃ２を生成させるとともに、画像入出力部２を制御して、前記各アイコンＩｃ１，Ｉｃ２を再生しているコンテンツの映像に重ねて表示するように制御する。各アイコンＩｃ１，Ｉｃ２の表示は、音声モード情報および優先出力音声情報の変化に対応する。これによって利用者は、再生しているコンテンツの音声モード情報および出力している音声データの音声チャンネルを視覚的に容易に確認することができる。
【０１３５】
表５は、コンテンツを再生しているときに、利用者が音声チャンネルを変更するときの、各音声モード情報に対応する音声チャンネルの選択肢を示す表である。
【０１３６】
【表５】
2004248056.tif 000007
【０１３７】
画像記録再生装置１において、コンテンツを再生しているときに、利用者が音声チャンネルを変更する場合には、指示入力部８およびリモコン２２の少なくともいずれかに設けられる音声切換ボタンを押圧することによって、再生して出力する音声チャンネルを指定する音声チャンネル指定情報が入力される。音声チャンネル指定情報が入力されたとき、中央制御部１１は、優先出力音声情報ではなく入力された音声チャンネル指定情報と音声モード情報とに基づいて、音声データに関しては、指定された音声チャンネルを再生して出力するように画像入出力部２を制御する。これによって出力する音声チャンネルを変更することができる。
【０１３８】
たとえば音声モード情報がステレオ音声であるコンテンツを再生していて、左音声チャンネルと右音声チャンネルとが再生されて、表示装置２１に備えられる２つのスピーカの、左のスピーカから左音声チャンネルの音声が、右のスピーカから右音声チャンネルの音声が独立して出力されているとき、利用者が音声切換ボタンを１回押圧すると、音声がモノラル音声、すなわち、左音声チャンネルと右音声チャンネルとの音声が混合された音声が、双方のスピーカから出力される。このような出力状態において、さらにもう１回音声切換ボタンを押圧すると、左音声チャンネルだけが再生されて、双方のスピーカから出力される。このような出力状態において、さらにもう１回音声切換ボタンを押圧すると、右音声チャンネルだけが再生されて、双方のスピーカから右音声チャンネルの音声が出力される。このような出力状態において、さらにもう１回音声切換ボタンを押圧すると、左音声チャンネルと右音声チャンネルとが再生されて、左のスピーカから左音声チャンネルの音声が、右のスピーカから右音声チャンネルの音声が独立して出力される。
【０１３９】
また、たとえば音声モード情報が二重音声であるコンテンツを再生していて、主音声チャンネルだけが再生されて、双方のスピーカから主音声チャンネルの音声が出力されているとき、利用者が音声切換ボタンを１回押圧すると、副音声チャンネルだけが再生されて、双方のスピーカから副音声チャンネルの音声が出力される。このような出力状態において、さらにもう１回音声切換ボタンを押圧すると、主音声チャンネルと副音声チャンネルとが再生されて、左のスピーカから主音声チャンネルの音声が、右のスピーカから副音声チャンネルの音声が独立して出力される。このような出力状態において、さらにもう１回音声切換ボタンを押圧すると、主音声チャンネルだけが再生されて、双方のスピーカから主音声チャンネルの音声が出力される。このように音声切換ボタンを押圧して音声チャンネル指定情報を入力することによって、再生して出力する音声チャンネルを、表５に示されるように変更することができる。
【０１４０】
また画像記録再生装置１において、コンテンツを再生しているときに、利用者が音声チャンネルを変更する場合には、リモコン２２を操作して、表示装置２１に表示されている出力音声アイコンＩｃ２を選択して決定することによって、前述と同様の音声チャンネルの変更を行うことができる。
【０１４１】
また画像記録再生装置１において、コンテンツが再生されているときに、利用者が前述のようにして音声チャンネルを変更した場合には、変更したときに再生されているコンテンツの音声モード情報に対応して、音声チャンネル指定情報を、記録部４およびデータメモリ６の少なくともいずれかに一時的に記憶するようにしてもよい。これによって、たとえば音声モード情報および音声チャンネル指定情報に基づいてコンテンツを再生しているときに、コンテンツの音声モード情報が変化して、さらに変化する前の音声モード情報に復帰したときに、音声モード情報および一時的に記憶されている音声チャンネル指定情報に基づいてコンテンツが再生される。これによって再生しているコンテンツの音声モード情報が変化して、さらに変化する前の音声モード情報に復帰する度に、利用者は指示入力部７およびリモコン２２を入力操作して音声チャンネル指定情報を入力することなく、引き続き、一時的に記憶されている音声チャンネル指定情報に基づく音声チャンネルでコンテンツを再生することができる。
【０１４２】
図１１は、画像記録再生装置１の記録部４に記録されているコンテンツを、異なる記録形式に変換する変換手順を示すフローチャートである。本実施の形態において、ＭＰＥＧ２符号化方式で記録されているコンテンツを、たとえばＭＰＥＧ４符号化方式に変換する。画像記録再生装置１のプログラムメモリ５には、図１１のフローチャートに示される手順を実行するための画像変換プログラム５ｂが記憶されている。画像記録再生装置１の記録部４には、図８のフローチャートに示される記録手順によってコンテンツが記録されているとする。ステップｕ０で、変換手順が開始されて、ステップｕ１に進む。
【０１４３】
ステップｕ１では、中央制御部１１は、記録部４に記録されているコンテンツを読出して、ステップｕ２に進む。
【０１４４】
ステップｕ２では、中央制御部１１は、ステップｕ１で読出したコンテンツをＧＯＰ単位で復号するように画像入出力部２を制御して、ステップｕ３に進む。
【０１４５】
ステップｕ３では、中央制御部１１は、ステップｕ２において復号されたコンテンツを、ＭＰＥＧ４符号化方式で圧縮符号化して、ステップｕ４に進む。たとえばコンテンツのデータ容量を小さくするために、コンテンツの音声データの音声チャンネルを、たとえば２つの音声チャンネルのうち１つの音声チャンネルを削除して、音声チャンネル数を減らす場合、残しておく音声チャンネルを、優先出力音声情報に基づいて決定するようにしてもよい。
【０１４６】
なお、このとき、優先出力音声情報が、「左音声＋右音声」、および「主音声＋副音声」のいずれかである場合は、２つの音声チャンネルの音声を混合して１つの音声チャンネルとする。このように優先出力音声情報に含まれる音声チャンネルを残して、ステップｕ３においてコンテンツを圧縮符号化することで、残しておく音声チャンネルを、変換の度に選ぶことがないので、変換作業を迅速に行うことができる。また利用者の意図が反映されている優先情報であれば、利用者が所望しない音声チャンネルを自動的に削除して、コンテンツの変換を行うことができる。
【０１４７】
ステップｕ４では、中央制御部１１は、ステップｕ３において圧縮符号化されたコンテンツを記録部４に記録して、ステップｕ５に進む。
【０１４８】
ステップｕ５では、中央制御部１１は、変換すべきコンテンツが終了したか否かを判断して、終了したと判断するとステップｕ６に進み、全ての手順を終了し、終了していないと判断するとステップｕ１に戻る。
【０１４９】
このようにしてコンテンツのデータ容量を小さくすることで、ＬＡＮ２３およびインターネット２５を介して接続される第１ＰＣ２４および第２ＰＣ２６などの他の端末装置に伝送することが容易となる。コンテンツを変換するときに、ＬＡＮ２３およびインターネット２５の伝送速度に応じて、ビットレートを変更するようにしてもよい。またコンテンツのデータ容量を小さくすることで、メモリカード接続部１０に接続されるメモリカードに記憶することが容易になる。また記録部４の空き記録容量が足りなくなった場合には、コンテンツを変換した後に、変換する前のコンテンツを消去するようにしてもよい。
【０１５０】
以上のように本実施の形態の画像記録再生装置１によれば、少なくとも音声データを含み経時的に変化するコンテンツは、中央制御部１１および画像入出力部２によって、時系列的に並ぶ複数のパックＰｋに分割され、各パックＰｋにおける音声データの種類、たとえばモノラル、ステレオ、二重音声などを表す音声モード情報が、各パックＰｋに少なくとも１つ付加されて符号化されて、記録部４に記録される。このように音声モード情報がコンテンツに付加されて記録されるので、従来技術のように音声モード情報がコンテンツとは別にして記録される場合に比べて、コンテンツを再生するときに、コンテンツ以外の情報を参照することなく、容易に再生を行うことができる。また、たとえばＬＡＮ２４およびインターネット２５などのコンピュータネットワークを介して、コンテンツを他の端末装置に伝送するときに、コンテンツだけを伝送するだけでよく、従来技術に比べて取扱いが容易となる。さらに、たとえば記録部４に記録されているコンテンツをその途中から再生したいときでも、少なくとも各パックＰｋに音声モード情報が付加されているので、音声モード情報を確実に確認することができる。またコンテンツにおいて音声モード情報が変化する場合でも、音声モード情報を確実に確認することができる。
【０１５１】
また本実施の形態の画像記録再生装置１によれば、コンテンツは、中央制御部１１および画像入力部２によって、音声モード情報に対応して、音声データにおいて予め定められる優先して再生して出力すべき音声チャンネル、たとえば二重音声の場合には主音声チャンネルまたは副音声チャンネルなどを表す優先出力音声情報がさらに付加されて符号化される。これによってコンテンツを再生するときに、コンテンツの音声データの音声チャンネルのうち、いずれの音声チャンネルを再生するかを予め設定することなく、優先出力音声情報に基づく音声チャンネルで音声データを確実に再生して出力することができる。このように優先情報に基づき音声チャンネルを再生して出力するので、たとえば全ての音声チャンネルを同時に再生してしまうなどの、誤再生を防止することができる。
【０１５２】
また本実施の形態の画像記録再生装置１によれば、放送局２０から提供されるコンテンツおよび取得するコンテンツに関連するコンテンツ関連情報は、少なくとも画像入出力部２および通信部９のいずれかによって取得される。また中央制御部１１によって、取得したコンテンツ関連情報および音声モード情報に基づく優先出力音声情報が生成される。これによって、取得するコンテンツのコンテンツ関連情報が、たとえば二重音声である映画番組である場合、記録部４に記録されるコンテンツには、二重音声であることを表す音声モード情報が付加される。このとき中央制御部１１は、このようなコンテンツ関連情報および音声モード情報に基づいて、たとえば副音声チャンネルを再生して出力すべき音声チャンネルとする優先出力音声情報を生成してもよい。また取得するコンテンツのコンテンツ関連情報が、たとえば二重音声であって、副音声チャンネルが英語である映画番組である場合、中央制御部１１は、このようなコンテンツ関連情報および音声モード情報に基づいて、たとえば副音声チャンネルを再生して出力すべき音声チャンネルとする優先出力音声情報を生成してもよい。このようにコンテンツを記録する度に利用者が優先出力音声情報を入力することなく、優先出力音声情報を自動的に生成することができる。
【０１５３】
また本実施の形態の画像記録再生装置１によれば、利用者が指示入力部７およびリモコン２２を入力操作して、コンテンツ関連情報に対応して優先出力音声情報を生成するために用いられる優先判定情報が入力される。また中央制御部１１によって、コンテンツ関連情報および音声モード情報ならびに優先判定情報に基づく優先出力音声情報が生成される。これによって、取得するコンテンツのコンテンツ関連情報が、たとえば二重音声である映画番組である場合、記録部４に記録されるコンテンツには、二重音声であることを表す音声モード情報が付加される。また利用者は指示入力部７およびリモコン２２を入力操作して、前記コンテンツ関連情報に対応して、たとえば二重音声の映画番組は副音声チャンネルとすることを表す優先判定情報を予め入力しておく。このとき中央制御部１１は、このようなコンテンツ関連情報および音声モード情報ならびに優先判定情報に基づいて、たとえば副音声チャンネルを再生して出力すべき音声チャンネルとする優先出力音声情報を生成してもよい。このように利用者の意思が反映される優先出力音声情報を、自動的に生成することができる。
【０１５４】
本実施の形態において、コンテンツの符号化方式は、ＭＰＥＧ２符号化方式であるとしたけれども、これに限ることはない。ＭＰＥＧ２に類似するデータ構造となる、たとえばＭＰＥＧ１符号化方式およびＭＰＥＧ４符号化方式ならびにその他の符号化方式であってもよい。
【０１５５】
また本実施の形態において、コンテンツを圧縮符号化するときに、たとえば図３（４）に示すような拡張パケットを、音声モード情報および優先出力音声情報に基づいて生成して、少なくともパックＰｋに１つ、たとえばＧＯＰ毎にコンテンツに付加するとしたが、これに限ることはない。たとえば映像データのフレーム１つ１つに対応して、拡張パケットを付加するようにしてもよい。音声モード情報および優先出力音声情報を含む拡張パケットは、少なくともコンテンツにおける音声モード情報の変化に追従できる程度の時間間隔で付加すればよい。これによって、コンテンツを編集して複数のコンテンツになるように分割しても、分割された個々のコンテンツにおいても、音声モード情報および優先出力音声情報が付加されていることになる。
【０１５６】
図１２は、本発明の実施の他の形態の再生装置６０の構成を示すブロック図である。再生装置６０は、たとえば第１および第２ＰＣ２４，２６などのパーソナルコンピュータおよびワークステーションなどの計算装置、または通信機能を有する再生装置で実現されてもよい。再生装置６０は、通信部６１、記録媒体読取部６２、ＣＰＵ６３、入力部６４、メモリ６５、ＭＰＥＧ２デコーダ６６、ＤＡコンバータ６７、表示装置６８およびスピーカ６９を含んで構成される。
【０１５７】
取得手段である通信部６１は、ＬＡＮ２３およびインターネット２５ならびにケーブルテレビジョンネットワークなどの通信回線１００を介して接続される画像記録再生装置１および他の端末装置と通信可能である。取得手段である記録媒体読取部６２は、コンパクトディスクおよびデジタル多機能ディスクなどの光記録媒体、ならびにＭＯなどの光磁気記録媒体などの記録媒体１０１を着脱可能であり、前記記録媒体１０１に記録されているコンテンツを読取る。このような記録媒体１０１に記録されているコンテンツは、前述の画像記録再生装置１の記録部４に記録されるコンテンツと同様である。またコンテンツが記録媒体１０１に記録されて再生装置６０に提供される場合、記録媒体１０１にジャンルなどのコンテンツ関連情報が記録されているようにしてもよい。またコンテンツが記録媒体１０１に記録されて再生装置６０に提供される場合、当該コンテンツのコンテンツ関連情報は、通信回線１００を介して接続されるデータベースサーバ（図示せず）から取得するようにしてもよい。このようなデータベースサーバは、記録媒体１０１に記録されているコンテンツのコンテンツ関連情報がデータベース化されて蓄積されている、たとえばワークステーションなどの計算装置である。
【０１５８】
ＣＰＵ６３は、再生装置６０を統括的に制御する。ＣＰＵ６３は、通信部６１および記録媒体読取部６２からのコンテンツを、ＭＰＥＧ２デコーダ６６に与える。再生入力手段および指令入力手段である入力部６４は、たとえばキーボードおよびマウスなどの入力装置で実現され、利用者による入力操作によって、音声チャンネル指定情報などの各種情報が入力される。一時記憶手段であるメモリ６５は、たとえばＲＡＭなどの揮発性メモリおよびＲＯＭなどの不揮発性メモリで実現され、各種情報を記憶する。またメモリ６５は、通信回線１００を介してコンテンツを取得するときにバッファ、およびコンテンツをＭＰＥＧ２デコーダ６６によって復号するときのバッファとして用いてもよい。
【０１５９】
抽出手段であるＭＰＥＧ２デコーダ６６は、ＣＰＵ６３によって制御されて、ＣＰＵ６３からのコンテンツを復号化したデジタルコンテンツ信号を、ＤＡコンバータ６７に与える。またＭＰＥＧ２デコーダ６６は、コンテンツに含まれている音声モード情報および優先出力音声情報を抽出する。
【０１６０】
ＤＡコンバータ６７は、ＭＰＥＧ２デコーダ６６からのデジタルコンテンツ信号をアナログコンテンツ信号に変換して、アナログコンテンツ信号に含まれる映像データを表示装置６８に与えるとともに、アナログコンテンツ信号に含まれる音声データをスピーカ６９に与える。本実施の形態において、再生手段は、ＣＰＵ６３、ＭＰＥＧ２デコーダ６６およびＤＡコンバータ６７で構成される。
【０１６１】
表示装置６８は、たとえば陰極線管および液晶パネルを備える表示装置で実現され、ＤＡコンバータ６７からの映像データに基づく動画像を表示する。スピーカ６９は、ＤＡコンバータ６７からの音声データに基づく音声を出力する。
【０１６２】
再生装置６０は、通信回線１００を介して取得したコンテンツおよび装着された記録媒体１０１に記録されているコンテンツを、前述の図９のフローチャートに示すような再生手順に従って、画像記録再生装置１と同様に、図９のフローチャートに示す再生手順に従って再生する。このような再生手順をＣＰＵ６３に実行させるようなプログラムは、メモリ６５に記憶されている。また、このプログラムは、ＣＤ−ＲＯＭおよびＤＶＤ−ＲＯＭなどの記録媒体を介して再生装置６０に供給するようにしてもよく、通信回線１００を介して供給するようにしてもよい。また再生装置６０において、利用者による入力部６４の入力操作によって、音声チャンネル指定情報を入力するようにしてもよい。
【０１６３】
また再生装置６０において、利用者による入力部６４の入力操作によって、優先出力音声情報および優先判定情報を入力可能であってもよい。この場合、入力された優先出力音声情報および優先判定情報は、通信回線１００を介して接続される画像記録再生装置１に与えられる。画像記録再生装置１は、再生装置６０からの優先出力音声情報および優先判定情報に基づいて、取得したコンテンツを記録するようにしてもよい。
【０１６４】
以上のように画像記録再生装置１および再生装置６０によれば、少なくとも音声データを含み経時的に変化するコンテンツは、時系列的に並ぶ複数のパックＰｋに分割され、各パックＰｋにおける音声データの種類、たとえばモノラル、ステレオおよび二重音声などを表す音声モード情報が、各パックＰｋに少なくとも１つ付加されて符号化されている。画像入出力部２およびＭＰＥＧ２デコーダ６６によって、このようなコンテンツの各パックＰｋの音声モード情報が抽出される。またコンテンツは、画像入出力部２ならびにＭＰＥＧ２デコーダ６６およびＤＡコンバータ６７によって、抽出された音声モード情報に基づいて再生される。このように音声モード情報がコンテンツに付加されて記録されるので、従来技術のように音声モード情報がコンテンツとは別にして記録される場合に比べて、コンテンツ以外の情報を参照することなく、コンテンツを容易に再生することができる。また、たとえばコンピュータネットワークを介して、他の端末装置に記録されているコンテンツを再生するときに、コンテンツ以外の情報を取得することなく、コンテンツだけを取得するだけでよく、従来技術に比べて取扱いが容易となる。さらに、たとえばコンテンツを途中から再生したいときでも、各データ群に音声モード情報が付加されているので、音声モード情報を確実に確認することができる。またコンテンツにおいて音声モード情報が変化する場合でも、音声モード情報を確実に確認することができる。
【０１６５】
また画像記録再生装置１および再生装置６０によれば、コンテンツは、音声モード情報に対応して、音声データにおいて予め定められる優先して再生して出力すべき音声チャンネルを表す優先出力音声情報がさらに付加されて符号化される。優先出力音声情報は、抽出手段によって、コンテンツから抽出される。コンテンツは、画像入出力部２ならびにＭＰＥＧ２デコーダ６６およびＤＡコンバータ６７によって、音声モード情報および優先出力音声情報に基づいて再生され出力される。これによって、コンテンツの音声データの音声チャンネルのうち、いずれのチャンネルを再生するかを再生装置側で予め設定することなく、優先出力音声情報に基づく音声チャンネルを確実に再生することができる。このように優先出力音声情報に基づき音声チャンネルを再生するので、たとえば音声モード情報が二重音声のコンテンツを再生するときに、全ての音声チャンネルを同時に再生してしまうなどの、誤再生を防止することができる。
【０１６６】
また画像記録再生装置１および再生装置６０によれば、利用者が指示入力部７およびリモコン２２ならびに入力部６４を入力操作すると、音声データにおいて予め定められる優先して再生して出力すべき音声チャンネルを表す優先出力音声情報が入力される。画像入出力部２ならびにＭＰＥＧ２デコーダ６６およびＤＡコンバータ６７は、音声モード情報および入力された優先出力音声情報に基づいて、コンテンツを再生する。これによって優先出力音声情報には利用者の意思が反映されるので、コンテンツを再生するときには、利用者の所望する音声チャンネルの音声データを再生することができる。
【０１６７】
また画像記録再生装置１および再生装置６０によれば、コンテンツに音声モード情報および優先出力音声情報が、プログラムストリームＰＳにおいて少なくともパックＰｋに１つ、たとえばＧＯＰ毎にコンテンツに付加されているので、コンテンツの途中から再生する場合でも、優先出力音声情報に基づく音声チャンネルが確実に再生されて出力される。これによって、記録されたコンテンツにおいて、たとえばコマーシャルフィルムなどの利用者が視聴することを希望しない箇所を再生しないで、さらに記録されている他のコンテンツにおいて利用者が視聴することを希望する箇所を再生するなどして、順に再生するコンテンツを切換えて視聴するザッピング視聴をする場合には、非常に好適である。したがって画像記録再生装置１および再生装置６０は、記録されているコンテンツのどの場所から再生するときでも、優先出力音声情報に基づく音声チャンネルを確実に再生して出力することができる。
【０１６８】
【発明の効果】
以上のように本発明によれば、音声モード情報がコンテンツに付加されて記録されるので、従来技術のように音声モード情報がコンテンツとは別にして記録される場合に比べて、コンテンツを再生するときに、コンテンツ以外の情報を参照することなく、容易に再生を行うことができる。また、たとえばコンピュータネットワークを介して、コンテンツを他の端末装置に伝送するときに、コンテンツだけを伝送するだけでよく、従来技術に比べて取扱いが容易となる。さらに、たとえば記録手段に記録されているコンテンツをその途中から再生したいときでも、各データ群に音声モード情報が付加されているので、音声モード情報を確実に確認することができる。またコンテンツにおいて音声モード情報が変化する場合でも、音声モード情報を確実に確認することができる。
【０１６９】
また本発明によれば、コンテンツを再生するときに、コンテンツの音声データの音声チャンネルのうち、いずれの音声チャンネルを再生するかを予め設定することなく、優先情報に基づく音声チャンネルで音声データを確実に再生することができる。このように優先情報に基づき音声チャンネルを再生するので、たとえば音声モード情報が二重音声のコンテンツを再生するときに、全ての音声チャンネルを同時に再生してしまうなどの、誤再生を防止することができる。
【０１７０】
また本発明によれば、優先情報には利用者の意思が反映されるので、コンテンツを再生するときには、利用者の所望する音声チャンネルの音声データを再生することができる。
【０１７１】
また本発明によれば、取得するコンテンツのコンテンツ関連情報が、たとえば二重音声である映画番組である場合、記録手段に記録されるコンテンツには、二重音声であることを表す音声モード情報が付加される。このとき優先情報生成手段は、このようなコンテンツ関連情報および音声モード情報に基づいて、たとえば副音声を再生すべき音声チャンネルとする優先情報を生成してもよい。また取得するコンテンツのコンテンツ関連情報が、たとえば二重音声であって、副音声チャンネルが英語である映画番組である場合、優先情報生成手段は、このようなコンテンツ関連情報および音声モード情報に基づいて、たとえば副音声を再生すべき音声チャンネルとする優先情報を生成してもよい。このようにコンテンツを記録する度に利用者が優先情報を入力することなく、優先情報を自動的に生成することができる。
【０１７２】
また本発明によれば、取得するコンテンツのコンテンツ関連情報が、たとえば二重音声である映画番組である場合、記録手段に記録されるコンテンツには、二重音声であることを表す音声モード情報が付加される。また利用者は判定情報入力手段を入力操作して、前記コンテンツ関連情報に対応して、たとえば二重音声の映画番組は副音声チャンネルとすることを表す優先判定情報を予め入力しておく。このとき優先情報生成手段は、このようなコンテンツ関連情報および音声モード情報ならびに優先判定情報に基づいて、たとえば副音声チャンネルを再生すべき音声チャンネルとする優先情報を生成してもよい。このように利用者の意思が反映される優先情報を、自動的に生成することができる。
【０１７３】
また本発明によれば、たとえば記録手段に記録されているコンテンツの記録容量を小さくするような記録形式に変換するとき、さらに記憶容量を小さくするために、音声データの音声チャンネルを減らすことがある。このような場合、たとえば音声モード情報が二重音声の場合、主音声チャンネルおよび副音声チャンネルの２つの音声チャンネルうち、優先情報によっていずれか１つを選んでおけば、前記優先情報が表す音声チャンネルを残して、コンテンツを変換することができる。このようにコンテンツの記録形式の変換時に残しておく音声チャンネルを、変換の度に選ぶことがないので、変換作業を迅速に行うことができる。また利用者の意図が反映されている優先情報であれば、利用者が所望しない音声チャンネルを自動的に削除して、コンテンツの変換を行うことができる。
【０１７４】
また本発明によれば、音声モード情報がコンテンツに付加されて記録されるので、従来技術のように音声モード情報がコンテンツとは別にして記録される場合に比べて、コンテンツ以外の情報を参照することなく、コンテンツを容易に再生することができる。また、たとえばコンピュータネットワークを介して、他の端末装置に記録されているコンテンツを再生するときに、コンテンツ以外の情報を取得することなく、コンテンツだけを取得するだけでよく、従来技術に比べて取扱いが容易となる。さらに、たとえばコンテンツを途中から再生したいときでも、各データ群に音声モード情報が付加されているので、音声モード情報を確実に確認することができる。またコンテンツにおいて音声モード情報が変化する場合でも、音声モード情報を確実に確認することができる。
【０１７５】
また本発明によれば、コンテンツの音声データの音声チャンネルのうち、いずれのチャンネルを再生するかを再生装置側で予め設定することなく、優先情報に基づく音声チャンネルを確実に再生することができる。このように優先情報に基づき音声チャンネルを再生するので、たとえば音声モード情報が二重音声のコンテンツを再生するときに、全ての音声チャンネルを同時に再生してしまうなどの、誤再生を防止することができる。
【０１７６】
また本発明によれば、優先情報には利用者の意思が反映されるので、コンテンツを再生するときには、利用者の所望する音声チャンネルの音声データを再生することができる。
【０１７７】
また本発明によれば、音声チャンネル指定情報には利用者の意思が反映されるので、たとえばコンテンツの再生中に、音声データの音声チャンネルを切換えたいときに、利用者は指令入力手段を入力操作するだけで、所望の音声チャンネルを容易に再生させることができる。
【０１７８】
また本発明によれば、再生しているコンテンツの音声モード情報が変化して、さらに変化する前の音声モード情報に復帰する度に、利用者は指令入力手段を入力操作して音声チャンネル指定情報を入力することなく、引き続き、一時記憶手段に記憶されている音声チャンネル指定情報に基づく音声チャンネルでコンテンツを再生することができる。
【０１７９】
また本発明によれば、音声モード情報がコンテンツに付加されて記録されるので、従来技術のように音声モード情報がコンテンツとは別にして記録される場合に比べて、コンテンツを再生するときに、コンテンツ以外の情報を参照することなく、容易に再生を行うことができる。また、たとえばコンピュータネットワークを介して、コンテンツを他の端末装置に伝送するときに、コンテンツだけを伝送するだけでよく、従来技術に比べて取扱いが容易となる。さらに、たとえば記録手段に記録されているコンテンツをその途中から再生したいときでも、各データ群に音声モード情報が付加されているので、音声モード情報を確実に確認することができる。またコンテンツにおいて音声モード情報が変化する場合でも、音声モード情報を確実に確認することができる。
【０１８０】
また本発明によれば、音声モード情報がコンテンツに付加されて記録されるので、従来技術のように音声モード情報がコンテンツとは別にして記録される場合に比べて、コンテンツ以外の情報を参照することなく、コンテンツを容易に再生することができる。また、たとえばコンピュータネットワークを介して、他の端末装置に記録されているコンテンツを再生するときに、コンテンツ以外の情報を取得することなく、コンテンツだけを取得するだけでよく、従来技術に比べて取扱いが容易となる。さらに、たとえばコンテンツを途中から再生したいときでも、各データ群に音声モード情報が付加されているので、音声モード情報を確実に確認することができる。またコンテンツにおいて音声モード情報が変化する場合でも、音声モード情報を確実に確認することができる。
【図面の簡単な説明】
【図１】本発明の実施の一形態の画像記録再生装置１の構成を示すブロック図である。
【図２】表示装置２１に表示されるアプリメニューＭ１を示す図である。
【図３】ＭＰＥＧ２符号化方式によって符号化されるコンテンツのプログラムストリームＰＳの構造を簡略化して模式的に示した図である。
【図４】コンテンツのプログラムストリームＰＳにおける種別が「拡張」であるパケットＰｔのパケットデータを模式的に示す図である。
【図５】ＭＰＥＧ２符号化方式によって符号化されるコンテンツにおける映像データＶＤのデータ構造を模式的に示す図である。
【図６】表示装置２１に表示される優先出力音声情報設定メニューＭ１２を示す図である。
【図７】表示装置２１に表示されるジャンル別優先設定メニューＭ１３を示す図である。
【図８】画像記録再生装置１におけるコンテンツの記録手順を示すフローチャートである。
【図９】画像記録再生装置１におけるコンテンツの再生手順を示すフローチャートである。
【図１０】コンテンツを再生しているときの表示装置２１の表示状態を示す図である。
【図１１】画像記録再生装置１の記録部４に記録されているコンテンツを、異なる記録形式に変換する変換手順を示すフローチャートである。
【図１２】本発明の実施の他の形態の再生装置６０の構成を示すブロック図である。
【符号の説明】
１  画像記録再生装置
２  画像入出力部
４  記録部
６  データメモリ
７  指示入力部
９  通信部
１１  中央制御部
２１  表示装置
２２  リモコン
６０  再生装置
６１  通信部
６２  記録媒体読取部
６３  ＣＰＵ
６４  入力部
６６  ＭＰＥＧ２デコーダ
６７  ＤＡコンバータ
６８  表示装置
６９  スピーカ
【図１】
2004248056.tif 000008
【図２】
2004248056.tif 000009
【図３】
2004248056.tif 000010
【図４】
2004248056.tif 000011
【図５】
2004248056.tif 000012
【図６】
2004248056.tif 000013
【図７】
2004248056.tif 000014
【図８】
2004248056.tif 000015
【図９】
2004248056.tif 000016
【図１０】
2004248056.tif 000017
【図１１】
2004248056.tif 000018
【図１２】
2004248056.tif 000019